(57)【要約】【課題】  テレビ画面の「提示の一意性」を維持した状態でブラウザ画面とテレビ画面とを連携表示することができる受信装置、番組連携表示方法およびその印刷制御方法を提供する。【解決手段】  テレビジョン受信機２は、それぞれに関連するコンテンツ３０１が格納されているサーバ３を示したＵＲＬを含む１以上のテレビ番組の放送を受信するテレビジョン画面生成部２００と、受信されたテレビ番組を１つの画面上に表示する画面合成部３００と、いずれか１つのテレビ番組に含まれるＵＲＬによって特定されるサーバ３から、コンテンツ３０１を受信するモデム９００と、テレビ番組の表示サイズを所定のサイズに一致させ、画面合成部３００を制御して、テレビ番組を画面の前面に継続して表示させ、受信されたコンテンツ３０１をテレビ番組の背後に表示させる制御用マイクロコンピュータ５００とを備える。【選択図】        図１
2005124163.tif 000002
【特許請求の範囲】
【請求項１】
異なる形式の複数の情報を異なる送信元から受信して表示する受信装置であって、
それぞれに関連する情報が格納されている格納場所を示したリンク先情報を含む１以上の第１の情報を受信する第１の受信手段と、
受信された複数の情報を１つの画面上に表示する表示手段と、
表示されたいずれか１つの前記第１の情報のリンク先情報によって特定される前記格納場所から、第２の情報を受信する第２の受信手段と、
前記第１の情報の表示サイズを所定のサイズに一致させ、前記表示手段を制御して、前記第１の情報を画面の前面に継続して表示させ、受信された前記第２の情報を前記第１の情報の背後に表示させる制御手段と
を備えることを特徴とする受信装置。
【請求項２】
前記第２の情報がＨＴＭＬおよびＸＭＬを含む言語によって記述された構造化文書であり、前記第１の情報および前記第２の情報の表示スタイルを設定するためのＣＳＳ２（Cascading Style Sheets, Level2）を含むスタイルシート言語のスタックレベルを指定することにより、表示における前記画面のレイヤーを規定する場合に、
前記制御手段は、前記第１の情報の画面のスタックレベルが前記第２の情報に含まれる全てのスタックレベルよりも大きくなるように制御する
ことを特徴とする請求項１記載の受信装置。
【請求項３】
上記スタックレベルの指定は、第２の情報のｚ−ｉｎｄｅｘプロパティの最大値を整数ｎ、第１の情報のｚ−ｉｎｄｅｘプロパティの値を整数ｍとしたとき、ｎはｍよりも大きい整数となるようにする
ことを特徴とする請求項２記載の受信装置。
【請求項４】
前記第１の受信手段は、さらに、前記第１の情報を最前面に表示するか否かを制御するための表示制御信号を受信し、
前記制御手段は、前記第１の受信手段から受け取った表示制御信号が前記第１の情報を最前面に表示する旨を示している時に、前記第１の情報を画面の前面に継続して表示させる
ことを特徴とする請求項１記載の受信装置。
【請求項５】
前記受信装置は、さらに、
ＴＶ画面前面表示用のスタイル情報とその他１以上のスタイル情報を格納している記憶手段を備え、
前記制御手段は、前記記憶手段に格納されたＴＶ画面前面表示用のスタイル情報を選択して、画面の表示を制御する
ことを特徴とする請求項４記載の受信装置。
【請求項６】
前記第１の受信手段は、前記第１の情報と、前記表示制御信号とを放送電波を介して受信し、
前記第２の受信手段は、前記第２の情報を通信回線網を介して前記格納場所から受信し、
前記制御手段は、
受信された前記第２の情報の表示の前面に、所定のサイズに一致された前記第１の情報が配置される第２のスタイル情報をあらかじめ格納しているスタイル情報記憶部と、
前記第２のスタイル情報に基づいて、前記第１の情報の表示サイズを所定のサイズに一致させる表示サイズ変更部と、
前記第２のスタイル情報に基づいて、前記所定のサイズの第１の情報と、前記第２の情報とを合成して表示画像を生成する合成部とを備え、
前記制御手段は、受信された前記表示制御信号が前記第１の情報を前記第２の情報の前面に表示する旨を示している時に、前記合成部によって生成された表示画像を前記表示手段に表示させる
ことを特徴とする請求項４記載の受信装置。
【請求項７】
前記制御手段は、前記第１の情報としてテレビジョン番組を連続して放送する場合に、前記第２の情報の表示画面より前記第１の情報の表示画面を前面に表示するように制御する
ことを特徴とする請求項６記載の受信装置。
【請求項８】
前記制御手段は、前記第１の情報としてコマーシャルを放送している時に、前記第２の情報の表示画面より前記第１の情報の表示画面を背面に表示、または第２の情報のみを表示するように制御する
ことを特徴とする請求項６記載の受信装置。
【請求項９】
前記受信装置は、さらに、
受信された前記第１の情報のみを前記表示手段に表示させる通常表示モードと、受信すべき第２の情報の選択を示すユーザからの入力があれば、所定のサイズに一致された前記第１の情報の背後に、選択された前記第２の情報を表示させる連携表示モードとの切り替えを指示するユーザからの入力を受け付ける切り替え指示入力手段を備え、
前記制御手段は、前記切り替え指示に従って前記通常表示モードと前記連携表示モードとを切り替え、受信すべき第２の情報が前記連携表示モードにおいて選択された場合、前記第１の情報の背後に前記第２の情報を表示させる
ことを特徴とする請求項１記載の受信装置。
【請求項１０】
前記第１の受信手段は、前記第１の情報と、前記第１の情報が１画面の表示領域に配置される第１のスタイル情報とを放送電波を介して受信し、
前記第２の受信手段は、前記第２の情報を通信回線網を介して前記格納場所から受信し、
前記制御手段は、
受信された前記第２の情報の表示の前面に、所定のサイズに一致された前記第１の情報が配置される第２のスタイル情報をあらかじめ記憶しているスタイル情報記憶部と、
前記第２のスタイル情報に基づいて、前記第１の情報の表示サイズを所定のサイズに一致させる表示サイズ変更部と、
前記第２のスタイル情報に基づいて、前記所定のサイズの第１の情報と、前記第２の情報とを合成して表示画像を生成する合成部とを備え、
前記制御手段は、前記合成部によって生成された表示画像を前記表示手段に表示させる
ことを特徴とする請求項１記載の受信装置。
【請求項１１】
前記第１の受信手段は、複数の前記第１の情報を時系列で受信し、
前記第１のスタイル情報は、現在受信中の前記第１の情報の表示を主画面とし、過去に表示された前記第１の情報のを副画面として、前記主画面が表示領域全体に配置され、前記副画面が前記主画面の一部表示領域に配置され、前記副画面が前記主画面の手前に表示されることを示しており、
前記第２のスタイル情報は、受信された第２の情報の表示を主画面とし、前記複数の第１の情報の表示を複数の副画面として、前記主画面が表示領域全体に配置され、前記副画面と前記主画面上において副画面同士が互いに重複しない一部表示領域に配置され、前記副画面が前記主画面の手前に表示されることを示しており、
前記合成部は、前記第２のスタイル情報に基づいて、前記主画面に前記第２の情報が表示されているとき、前記副画面に表示されているいずれかの前記第１の情報のリンク先情報に基づいて別の第２の情報が受信された場合、新たに受信された第２の情報で前記主画面の表示だけを変更する
ことを特徴とする請求項１０記載の受信装置。
【請求項１２】
前記過去に表示された前記第１の情報の表示の一部は、所定の時間表示された動画像である
ことを特徴とする請求項１１記載の受信装置。
【請求項１３】
前記過去に表示された前記第１の情報の表示の一部は、前記リンク先情報である
ことを特徴とする請求項１１記載の受信装置。
【請求項１４】
前記第１の受信手段は、複数の前記第１の情報を異なる搬送波により受信し、
前記第１のスタイル情報は、所定の前記第１の情報の表示を主画面とし、それ以外の前記第１の情報の表示を副画面として、前記主画面が表示領域全体に配置され、前記副画面が前記主画面の一部表示領域に配置され、前記副画面が前記主画面の手前に表示されることを示しており、
前記第２のスタイル情報は、受信された第２の情報の表示を主画面とし、前記複数の第１の情報の表示を複数の副画面として、前記主画面が表示領域全体に配置され、前記副画面と前記主画面上において副画面同士が互いに重複しない一部表示領域に配置され、前記副画面が前記主画面の手前に表示されることを示しており、
前記合成部は、前記第２のスタイル情報に基づいて、前記主画面に前記第２の情報が表示されているとき、前記副画面に表示されているいずれかの前記第１の情報のリンク先情報に基づいて別の第２の情報が受信された場合、新たに受信された第２の情報で前記主画面の表示だけを変更する
ことを特徴とする請求項１０記載の受信装置。
【請求項１５】
前記受信装置は、さらに、
前記合成部によって生成された表示画像から印刷データを生成する印刷データ生成手段と、
ユーザからの印刷指示に基づいて、前記印刷データ生成手段による印刷データの生成を制御する印刷制御手段と
を備えることを特徴とする請求項１０記載の受信装置。
【請求項１６】
前記受信装置は、さらに、
ユーザから第１の情報であるテレビジョン画面の印刷指示を受けてテレビジョン画面を保持する保持手段と、
保持したテレビジョン画面に係るスポンサーのコマーシャル情報を取得するコマーシャル情報取得手段とを備え、
前記印刷データ生成手段は、前記合成部により前記保持手段に保持したテレビジョン画面と前記取得手段により取得したコマーシャル情報とを合成した画像データから印刷データを生成する
ことを特徴とする請求項１５記載の受信装置。
【請求項１７】
前記コマーシャル情報取得手段は、前記印刷指示を受ける以前に受け取ったテレビジョン信号から抽出する
ことを特徴とする請求項１６記載の受信装置。
【請求項１８】
前記コマーシャル情報取得手段は、前記印刷指示を受けてから、テレビジョン放送送出装置に該当のコマーシャル情報を要求して取得する
ことを特徴とする請求項１６記載の受信装置。
【請求項１９】
前記コマーシャル情報取得手段は、前記印刷指示を受けてから、テレビジョン放送のコマーシャル情報に代えて、当該テレビジョン放送に関連するWEB情報を取得する
ことを特徴とする請求項１６記載の受信装置。
【請求項２０】
前記第１の情報は、さらに、前記第２の情報の表示に前記第１の情報の表示を合成するか否かを指示する合成可否情報を含み、
前記印刷制御手段は、前記合成可否情報が合成する旨を示している場合に、ユーザからの印刷指示に基づいて、前記印刷データ生成手段による印刷データの生成を制御する
ことを特徴とする請求項１５記載の受信装置。
【請求項２１】
前記第１の情報は、さらに、前記第２の情報の表示に前記第１の情報の表示を合成するか否かを指示する合成可否情報を含み、
前記合成部は、前記合成可否情報が合成する旨を示している場合に、前記第２の情報の表示領域の一部に、１以上の前記第１の情報を合成する
ことを特徴とする請求項１０記載の受信装置。
【請求項２２】
前記リンク先情報は、ＵＲＬである
ことを特徴とする請求項１記載の受信装置。
【請求項２３】
異なる形式の複数の情報を異なる送信元から受信して表示する番組連携表示方法であって、
それぞれに関連する第２情報が格納されている格納場所を示したリンク先情報を含む１以上の第１の情報を受信する第１の受信ステップと、
受信された複数の情報を１つの画面上に表示する第１の表示ステップと、
表示されたいずれか１つの前記第１の情報のリンク先情報によって特定される前記格納場所から、第２の情報を受信する第２の受信ステップと、
前記第１の情報の表示サイズを所定のサイズに一致させ、前記第１の情報を画面の前面に継続して表示し、受信された前記第２の情報を前記第１の情報の背後に表示する第２の表示ステップと
を含むことを特徴とする番組連携表示方法。
【請求項２４】
前記番組連携表示方法はさらに、受信された前記第１の情報のみを表示する通常表示モードと、受信すべき第２の情報の選択を示すユーザからの入力があれば、所定のサイズに一致された前記第１の情報の背後に、選択された前記第２の情報を表示する連携表示モードとの切り替えを指示するユーザからの入力を受け付ける切り替え指示入力ステップを含み、
前記第２の表示ステップでは、前記切り替え指示に従って前記通常表示モードと前記連携表示モードとを切り替え、受信すべき第２の情報が前記連携表示モードにおいて選択された場合、前記第１の情報の背後に前記第２の情報を表示する
ことを特徴とする請求項２３記載の番組連携表示方法。
【請求項２５】
前記番組連携表示方法は、受信された前記第２の情報の表示の前面に、所定のサイズに一致された前記第１の情報が配置される第２のスタイル情報をあらかじめメモリに記憶しておき、
前記第１の受信ステップでは、前記第１の情報と、前記第１の情報が１画面の表示領域に配置される第１のスタイル情報とを放送電波を介して受信し、
前記第２の受信ステップでは、前記第２の情報を通信回線網を介して前記格納場所から受信し、
前記第２の表示ステップでは、
前記第２のスタイル情報に基づいて、前記第１の情報の表示サイズを所定のサイズに一致させる表示サイズ変更ステップと、
前記第２のスタイル情報に基づいて、前記所定のサイズの第１の情報と、前記第２の情報とを合成して表示画像を生成する合成ステップとを含み、
前記第２の表示ステップでは、前記合成ステップによって生成された表示画像を表示する
ことを特徴とする請求項２３記載の番組連携表示方法。
【請求項２６】
前記第１の受信ステップでは、複数の前記第１の情報を時系列で受信し、
前記第１のスタイル情報は、現在受信中の前記第１の情報の表示を主画面とし、過去に表示された前記第１の情報の表示の一部を副画面として、前記主画面が表示領域全体に配置され、前記副画面が前記主画面の一部表示領域に配置され、前記副画面が前記主画面の手前に表示されることを示しており、
前記第２のスタイル情報は、受信された第２の情報の表示を主画面とし、前記複数の第１の情報の表示を副画面として、前記主画面が表示領域全体に配置され、前記副画面が前記主画面の互いに重複しない一部表示領域に配置され、前記副画面が前記主画面の手前に表示されることを示しており、
前記合成ステップでは、前記第２のスタイル情報に基づいて、前記主画面に前記第２の情報が表示されているとき、前記副画面に表示されているいずれかの前記第１の情報のリンク先情報に基づいて別の第２の情報が受信された場合、新たに受信された第２の情報で前記主画面の表示だけを変更する
ことを特徴とする請求項２５記載の番組連携表示方法。
【請求項２７】
前記第１の情報は、さらに、前記第２の情報の表示に前記第１の情報の表示を合成するか否かを指示する合成可否情報を含み、
前記合成ステップでは、前記合成可否情報が合成する旨を示している場合に、前記第２の情報の表示領域の一部に、１以上の前記第１の情報を合成する
ことを特徴とする請求項２６記載の番組連携表示方法。
【請求項２８】
前記第１の受信ステップでは、複数の前記第１の情報を異なる搬送波により受信し、
前記第１のスタイル情報は、所定の前記第１の情報の表示を主画面とし、それ以外の前記第１の情報の表示を副画面として、前記主画面が表示領域全体に配置され、前記副画面が前記主画面の一部表示領域に配置され、前記副画面が前記主画面の手前に表示されることを示しており、
前記第２のスタイル情報は、受信された第２の情報の表示を主画面とし、前記複数の第１の情報の表示を副画面として、前記主画面が表示領域全体に配置され、前記副画面が前記主画面の互いに重複しない一部表示領域に配置され、前記副画面が前記主画面の手前に表示されることを示しており、
前記合成ステップでは、前記第２のスタイル情報に基づいて、前記主画面に前記第２の情報が表示されているとき、前記副画面に表示されているいずれかの前記第１の情報のリンク先情報に基づいて別の第２の情報が受信された場合、新たに受信された第２の情報で前記主画面の表示だけを変更する
ことを特徴とする請求項２５記載の番組連携表示方法。
【請求項２９】
前記番組連携表示方法は、さらに、
ユーザからの印刷指示に基づいて、前記合成ステップによって生成された表示画像から印刷データを生成する印刷データ生成ステップ
を含むことを特徴とする請求項２５記載の番組連携表示方法。
【請求項３０】
前記第１の情報は、さらに、前記第２の情報の表示に前記第１の情報の表示を合成するか否かを指示する合成可否情報を含み、
前記印刷データ生成ステップでは、前記合成可否情報が合成する旨を示している場合に、ユーザからの印刷指示に基づいて、印刷データを生成する
ことを特徴とする請求項２９記載の番組連携表示方法。
【請求項３１】
異なる形式の複数の情報を異なる送信元から受信して表示し、表示された画像を印刷する印刷制御方法であって、
それぞれに関連する情報が格納されている格納場所を示したリンク先情報を含む１以上の第１の情報を、放送電波を介して受信する第１の受信ステップと、
受信された前記第１の情報を１つの画面上に表示する第１の表示ステップと、
表示されたいずれか１つの前記第１の情報のリンク先情報によって特定される第２の情報を、前記格納場所から、通信回線網を介して受信する第２の受信ステップと、
受信された前記第２の情報の表示の前面に、所定の表示サイズの前記第１の情報が配置されることを示し、メモリにあらかじめ記憶されている第２のスタイル情報に基づいて、前記第１の情報の表示サイズを所定のサイズに一致させる表示サイズ変更ステップと、
前記第２のスタイル情報に基づいて、前記所定のサイズの第１の情報と、前記第２の情報とを合成して表示画像を生成する合成ステップと、
ユーザからの印刷指示に基づいて、前記合成ステップによって生成された表示画像から印刷データを生成する印刷データ生成ステップと
を含むことを特徴とする印刷制御方法。
【請求項３２】
前記第１の情報は、さらに、前記第２の情報の表示に前記第１の情報の表示を合成するか否かを指示する合成可否情報を含み、
前記合成ステップでは、前記合成可否情報が合成する旨を示している場合に、前記第２の情報の表示領域の一部に、１以上の前記第１の情報を合成する
ことを特徴とする請求項３１記載の印刷制御方法。
【請求項３３】
異なる形式の複数の情報を異なる送信元から受信して表示する番組連携表示方法を実行させるプログラムであって、
コンピュータに、それぞれに関連する情報が格納されている格納場所を示したリンク先情報を含む１以上の第１の情報を受信する第１の受信ステップと、受信された複数の情報を１つの画面上に表示する第１の表示ステップと、表示されたいずれか１つの前記第１の情報のリンク先情報によって特定される前記格納場所から、第２の情報を受信する第２の受信ステップと、前記第１の情報の表示サイズを所定のサイズに一致させ、前記第１の情報を画面の前面に継続して表示し、受信された前記第２の情報を前記第１の情報の背後に表示する第２の表示ステップとを実行させるためのプログラム。
【発明の詳細な説明】
【技術分野】
【０００１】
本発明は、テレビジョン放送受信機能を有する受信装置、及びテレビジョン放送受信機能を有する受信装置におけるテレビジョン放送とインターネットとの連携表示（以下、番組連携表示と略称する）方法および番組連携表示に係るテレビジョン画面の印刷制御方法に関する。本発明の対象となる装置は、例えば、据え置き型テレビジョンシステム、携帯型テレビジョン装置、セットトップボックスおよびテレビジョン放送受信機能を内蔵したパーソナルコンピュータなどである。
【背景技術】
【０００２】
近年、デジタル技術やＩＴ（Information Technology）の進歩により、通信回線の大容量化が進み、テレビジョン放送のデジタル化が進んでいる。また、放送技術と通信技術の融合も進んでおり、放送機能と通信機能を備えた各種の装置が開発されている。
【０００３】
このような装置の典型例は、ＷＷＷ（World Wide Web）ブラウザ機能を備えたテレビジョン受信機である。
ＷＷＷブラウザ機能を備えたテレビジョン受信機については、従来から、以下に示す技術が知られている。図１３は、従来のテレビジョン放送装置およびテレビジョン受信機の構成を示すブロック図である。図１３において、テレビジョン放送装置８の多重化部１９は、入力されたテレビジョン信号１０１に、ＵＲＬ（Uniform Resource Locator）表示指示１１９とＵＲＬ１１２とを多重化する。送信部１２は、多重化部１９から出力されたテレビジョン信号を、テレビジョン受信機９に向けて送信する。
【０００４】
テレビジョン受信機９のテレビジョン画面生成部２０は、テレビジョン放送装置８から送信されたテレビジョン信号を受信し、これに基づきテレビジョン画面を生成する。また、テレビジョン画面生成部２０は、受信したテレビジョン信号にフィルタリング処理を適用し、この処理で求めた制御用ストリームを制御用マイクロコンピュータ５９（以下、マイコンと略称する）に出力する。これら、テレビジョン画面生成部２０における処理は、デジタルテレビジョン受信機に必須の処理として広く知られている。
【０００５】
ＵＲＬ表示指示取得部７９は、テレビジョン画面生成部２０から出力された制御用ストリームから、テレビジョン放送装置８で多重化されたＵＲＬ表示指示１１９を抽出する。同様に、ＵＲＬ取得部７２は、制御用ストリームから、テレビジョン放送装置８で多重化されたＵＲＬ１１２を抽出する。
【０００６】
マイコン５９は、テレビジョン受信機９における各種の制御処理を実行する。マイコン５９は、ＵＲＬ表示指示取得部７９からＵＲＬ表示指示１１９を受信すると、ＵＲＬ取得部７２で取得したＵＲＬ１１２を画面に表示するためのオンスクリーンディスプレイ制御（以下、ＯＳＤ制御と略称する）を行う。ＵＲＬが画面に表示された状態で、ユーザがリモコン８０を用いてブラウザ起動を指示すると、マイコン５９は、ＷＷＷブラウザ処理を開始する。より詳細には、マイコン５９は、第１のステップとして、モデム９０を制御して通信プロトコル処理を実行することにより、インターネット４に接続されたサーバ３から、ＵＲＬ取得部７２で取得したＵＲＬ１１２に対応したコンテンツ１０２を受信する。次に、マイコン５９は、第２のステップとして、受信したコンテンツに基づき、ブラウザ画面を生成する。
【０００７】
画面合成部３９は、テレビジョン画面生成部２０で生成されたテレビジョン画面と、マイコン５９のＷＷＷブラウザ処理により生成されたブラウザ画面とに基づき、モニタ４０に表示される画面を求める。画面合成部３９は、マイコン５９からの制御に従い、テレビジョン画面およびブラウザ画面のいずれか一方を選択して出力する。あるいは、画面合成部３９は、テレビジョン画面とブラウザ画面との２画面を同時に含んだ表示画面を得るために、固定スケーリング部３８を用いてブラウザ画面のサイズを固定的に縮小する。いずれにしても、画面合成部３９における処理は、テレビジョン受信機９で固定的に定められている。
【０００８】
以下、ある会社Ａによって製造販売される製品ａのコマーシャルメッセージが、テレビジョン放送される場合を例として、テレビジョン受信機９に対する広告提供方法とテレビジョン受信機９の動作について説明する。会社Ａはインターネット４に接続されたサーバ３を管理しており、サーバ３には製品ａを紹介するコンテンツ１０２が蓄積されているとする。テレビジョン番組の製作者は、製品ａのコマーシャルメッセージが放送されるときに、テレビジョン受信機９のユーザ（視聴者）にコンテンツ１０２へアクセスしてもらいたいと考える。そこで、テレビジョン放送装置８は、入力テレビジョン信号１０１に、ＵＲＬ表示指示１１９とコンテンツ１０２のＵＲＬ１１２とを多重化して送信する。
【０００９】
図１４は、テレビジョン放送受信時のマイコン５９の動作を示すフローチャートである。コマーシャルメッセージを受信する前の初期状態では、テレビジョン受信機９のモニタ４０には、あるテレビジョン番組が表示されているとする。テレビジョン放送が製品ａのコマーシャルに切り替わるときに、テレビジョン放送装置８は、入力されたテレビジョン信号１０１に、ＵＲＬ表示指示１１９とコンテンツ１０２のＵＲＬ１１２とを多重化して送信する。図１４を参照して、これら２種類のデータが多重化されたテレビジョン信号をテレビジョン受信機９が受信した後のマイコン５９の動作を説明する。
【００１０】
マイコン５９は、まず、ＵＲＬ表示指示取得部７９およびＵＲＬ取得部７２から、それぞれ、ＵＲＬ表示指示１１９およびＵＲＬ１１２を取得する（ステップＳ９０１）。次に、マイコン５９は、取得したＵＲＬ１１２を画面に表示させるためのＯＳＤ制御を行う（ステップＳ９０２）。この時点で、モニタ４０には、取得したＵＲＬ１１２が、テレビジョン画面に合成して表示される。これにより、視聴者は、製品ａと関連を有するコンテンツ１０２が存在することを認識する。視聴者は、製品ａに興味を抱いた場合には、リモコン８０を用いて、テレビジョン受信機９にブラウザ起動コマンドを入力する。これに対して、視聴者は、製品ａに興味を抱かない場合には、リモコン８０を用いて、テレビジョン受信機９にＵＲＬ消去コマンドを入力する。マイコン５９は、リモコン８０からの入力を調べ、ブラウザ起動コマンドが入力された場合は、ステップＳ９０４へ、ＵＲＬ消去コマンドが入力された場合はステップＳ９０８へ進む（ステップＳ９０３）。
【００１１】
ブラウザ起動コマンドが入力された場合、マイコン５９は、インターネット４に接続されたサーバ３から、取得したＵＲＬ１１２に対応したコンテンツ１０２を受信する（ステップＳ９０４）。次に、マイコン５９は、受信したコンテンツをモニタ４０の画面全体に表示させるために、画面合成部３９に対して全画面表示を指示する（ステップＳ９０５）。
【００１２】
次に、マイコン５９は、受信したコンテンツに基づき、ブラウザ画面を生成する（ステップＳ９０６）。マイコン５９によって生成されたブラウザ画面は、画面合成部３９に供給され、画像合成部３９が管理する表示プレーン（図示せず）に記憶される。画面合成部３９は、ステップＳ９０５で全画面表示の指示を受けているので、マイコン５９から供給されたブラウザ画面をそのままの状態で出力する。これにより、モニタ４０には、ブラウザ画面が画面全体に表示される。
【００１３】
その後、マイコン５９は、ＷＷＷブラウザ処理を行う（ステップＳ９０７）。マイコン５９の制御がステップ９０７にある間、視聴者は、テレビジョン受信機９をＷＷＷブラウザとして使用することができる。ＷＷＷブラウザ処理を実行中にブラウザ終了コマンドが入力されると、マイコン５９は、ＷＷＷブラウザ処理を終了し、これをもってＵＲＬ表示指示１１９に関する処理を終了する。
【００１４】
また、ステップＳ９０３でＵＲＬ消去コマンドが入力された場合、マイコン５９は、表示したＵＲＬを消去するためのＯＳＤ制御を行う。この場合、マイコン５９は、ＷＷＷブラウザ処理を行うことなく、取得したＵＲＬ表示指示１１９に対する処理を終了する。
【００１５】
このような従来のテレビジョン受信機によれば、視聴者からのコマンド入力に基づきＷＷＷブラウザが起動されるので、テレビジョン放送に連動させてブラウザ画面を表示できない。さらに、ブラウザ画面が表示されることで、テレビジョン画面の主要な部分がブラウザ画面によって損なわれる場合がある。例えば、コマーシャルメッセージを放送している間でも、広告対象物がブラウザ画面によって隠されてしまう場合がある。
【００１６】
このような従来のテレビジョン受信機における問題点を解決するために、テレビジョン信号から、ブラウザ画面の表示スタイルを定めた表示スタイル情報を取得し、該表示スタイル情報に従い、テレビジョン画面にブラウザ画面を合成して表示する。これにより、テレビジョン信号を放送する側で指定した表示スタイルに従って、テレビジョン画面を合成して表示することができる（特許文献１参照）。
【特許文献１】特開２００３−７８８３７号公報（第１−１９項、第１図、第１２図）
【発明の開示】
【発明が解決しようとする課題】
【００１７】
しかしながら、上述した特許文献１に記載のテレビジョン受信機であっても、次のような問題点がある。まず、テレビジョン画面にブラウザ画面を合成しているので、ブラウザ画面を表示する領域分だけ、テレビジョン画面が損なわれてしまう。
【００１８】
また、テレビジョン画面とブラウザ画面が重ならないように表示させた場合、表示画面に未使用領域が発生するので効率が悪い。
また、テレビジョン放送番組に興味を持って関連情報のブラウザ画面を積極的に閲覧したいというユーザの意に反して、ブラウザ画面主体で大きく表示することができない。
【００１９】
さらに、テレビジョン放送を送信する側で指定する表示スタイルに基づいてブラウザ画面を表示しなければならず、ブラウザ機能の実装が、統一したブラウザ画面の表示スタイルの仕様に拘束されてしまう。
【００２０】
本発明は上記問題点を解決するために提案されたものであって、少なくともテレビジョン番組の放送中は、効率良くテレビジョン画面の「提示の一意性」を維持した状態でテレビジョン画面が前面に表示されるように、ブラウザ画面とテレビジョン画面を連動する（すなわち、視聴中のテレビジョン画面からブラウザ画面が起動された場合でも、現在視聴中のテレビジョン画面を、表示内容が損なわれることなく継続して表示する）ように制御することが可能な受信装置及び番組連携表示方法および番組連携表示に係る印刷制御方法を提供することを目的とする。
【課題を解決するための手段】
【００２１】
上記目的を達成するために、本発明の受信装置は、異なる形式の複数の情報を異なる送信元から受信して表示する受信装置であって、それぞれに関連する情報が格納されている格納場所を示したリンク先情報を含む１以上の第１の情報を受信する第１の受信手段と、受信された複数の情報を１つの画面上に表示する表示手段と、いずれか１つの前記第１の情報のリンク先情報によって特定される前記格納場所から、第２の情報を受信する第２の受信手段と、前記第１の情報の表示サイズを所定のサイズに一致させ、前記表示手段を制御して、前記第１の情報を画面の前面に継続して表示させ、受信された前記第２の情報を前記第１の情報の背後に表示させる制御手段とを備えることを特徴とする。
【００２２】
また、前記第２の情報がＨＴＭＬおよびＸＭＬを含む言語によって記述された構造化文書であり、前記第１の情報および前記第２の情報の表示スタイルを設定するためのＣＳＳ２（Cascading Style Sheets, Level2）を含むスタイルシート言語のスタックレベルを指定することにより、表示における前記画面のレイヤーを規定する場合に、前記制御手段は、前記第１の情報の画面のスタックレベルが前記第２の情報に含まれる全てのスタックレベルよりも大きくなるように制御するとしてもよい。
【００２３】
これにより、ＣＳＳ２などのスタイルシート言語のスタックレベルを指定することにより、前記第１の情報がどの第２の情報よりも前面に表示されるように制御することができる。
【００２４】
また、前記第１の受信手段は、さらに、前記第１の情報を最前面に表示するか否かを制御するための表示制御信号を受信し、前記制御手段は、前記第１の受信手段から受け取った表示制御信号が前記第１の情報を最前面に表示する旨を示している時に、前記第１の情報を画面の前面に継続して表示させるとしてもよい。
【００２５】
これにより、前記第１の受信手段から受け取った表示制御信号に従って、前記第１の情報を画面の前面に継続して表示させるので、例えば、第１の情報を送信する放送局などで受信装置における第１の情報と第２の情報との表示を制御することができるという効果がある。
【００２６】
なお、前記受信装置は、受信された前記第１の情報のみを前記表示手段に表示させる通常表示モードと、受信すべき第２の情報の選択を示すユーザからの入力があれば、所定のサイズに一致された前記第１の情報の背後に、選択された前記第２の情報を表示させる連携表示モードとの切り替えを指示するユーザからの入力を受け付ける切り替え指示入力手段を備え、前記制御手段は、前記切り替え指示に従って前記通常表示モードと前記連携表示モードとを切り替え、受信すべき第２の情報が前記連携表示モードにおいて選択された場合、前記第１の情報の背後に前記第２の情報を表示させるとしてもよい。
【００２７】
これにより、少なくとも２系統から情報を受信して表示する受信装置において、第１の情報の表示から第２の情報の表示に切り替えても、常に第１の情報を画面の前面に継続して表示することができ、ユーザは、第１の情報を継続して視聴することができる。
【００２８】
また、本発明の受信装置は、前記第１の受信手段は、前記第１の情報と、前記第１の情報が１画面の表示領域に配置される第１のスタイル情報とを放送電波を介して受信し、前記第２の受信手段は、前記第２の情報を通信回線網を介して前記格納場所から受信し、前記制御手段は、受信された前記第２の情報の表示の前面に、所定のサイズに一致された前記第１の情報が配置される第２のスタイル情報をあらかじめ記憶しているスタイル情報記憶部と、前記第２のスタイル情報に基づいて、前記第１の情報の表示サイズを所定のサイズに一致させる表示サイズ変更部と、前記第２のスタイル情報に基づいて、前記所定のサイズの第１の情報と、前記第２の情報とを合成して表示画像を生成する合成部とを備え、前記制御手段は、前記合成部によって生成された表示画像を前記表示手段に表示させるとしてもよい。
【００２９】
これにより、第１の情報としての放送番組に連携してインターネットなどの通信網から受信した第２の情報を表示する受信装置において、放送番組のみを表示する場合は放送に多重化された第１のスタイル情報に基づいて表示し、放送番組の画面からその番組に関連する第２の情報を合成表示する画面に切り替えた場合であっても、あらかじめ記憶している第２のスタイル情報に基づいて、常に放送番組の画面を前面に表示させることができる。
【００３０】
また、前記受信装置は、さらに、前記合成部によって生成された表示画像から印刷データを生成する印刷データ生成手段と、ユーザからの印刷指示に基づいて、前記印刷データ生成手段による印刷データの生成を制御する印刷制御手段とを備えるとしてもよい。
【００３１】
これによれば、上記合成部で放送画面とブラウザ画面とを合成する場合のみ、印刷データが生成される。これにより、放送画面単体での印刷を禁止することができる上、ユーザが印刷するときには番組制作者側がユーザに提供したいと思っているブラウザ画面も一緒に印刷させるように制御することができる。
【００３２】
さらに、前記第１の受信手段は、複数の前記第１の情報を時系列で受信し、前記第１のスタイル情報は、現在受信中の前記第１の情報の表示を主画面とし、過去に表示された前記第１の情報の表示の一部を副画面として、前記主画面が表示領域全体に配置され、前記副画面が前記主画面の一部表示領域に配置され、前記副画面が前記主画面の手前に表示されることを示しており、前記第２のスタイル情報は、受信された第２の情報の表示を主画面とし、前記複数の第１の情報の表示を副画面として、前記主画面が表示領域全体に配置され、前記副画面が前記主画面の互いに重複しない一部表示領域に配置され、前記副画面が前記主画面の手前に表示されることを示しており、前記合成部は、前記第２のスタイル情報に基づいて、前記主画面に前記第２の情報が表示されているとき、前記副画面に表示されているいずれかの前記第１の情報のリンク先情報に基づいて別の第２の情報が受信された場合、新たに受信された第２の情報で前記主画面の表示だけを変更するとしてもよい。
【００３３】
さらに、前記第１の受信手段は、複数の前記第１の情報を異なる搬送波により受信し、前記第１のスタイル情報は、所定の前記第１の情報の表示を主画面とし、それ以外の前記第１の情報の表示を副画面として、前記主画面が表示領域全体に配置され、前記副画面が前記主画面の一部表示領域に配置され、前記副画面が前記主画面の手前に表示されることを示しており、前記第２のスタイル情報は、受信された第２の情報の表示を主画面とし、前記複数の第１の情報の表示を副画面として、前記主画面が表示領域全体に配置され、前記副画面が前記主画面の互いに重複しない一部表示領域に配置され、前記副画面が前記主画面の手前に表示されることを示しており、前記合成部は、前記第２のスタイル情報に基づいて、前記主画面に前記第２の情報が表示されているとき、前記副画面に表示されているいずれかの前記第１の情報のリンク先情報に基づいて別の第２の情報が受信された場合、新たに受信された第２の情報で前記主画面の表示だけを変更するとしてもよい。
【００３４】
また、さらに上記においてリンク先情報は、ＵＲＬであるとしてもよい。
これらにより、放送番組である第１の情報の表示に連携して、通信網を介して受信したインターネットのホームページなどの第２の情報を表示する受信装置において、いずれか１つの前記第１の情報のリンク先情報に基づいて、第２の情報の表示を主画面とし、前記複数の第１の情報の表示を副画面として、第２の情報が表示されている状態から、第１の情報のみの表示状態に一旦戻ってから、別の第１の情報に連携した第２の情報の表示に切り替えるという面倒な手順を踏まなくとも、現在、主画面に表示されている第２の情報の画面に連携する第１の情報とは別の第１の情報の副画面内に表示されているリンク先情報（ＵＲＬ）に基づいて、直接、第２の情報の表示のみを切り替えることができる。
【００３５】
また、前記第１の情報は、さらに、前記第２の情報の表示に前記第１の情報の表示を合成するか否かを指示する合成可否情報を含み、前記合成部は、前記合成可否情報が合成する旨を示している場合に、前記第２の情報の表示領域の一部に、１以上の前記第１の情報を合成するとしてもよい。
【００３６】
これによると、第２の情報の画面と第１の情報の画面とを合成するか否かを示す合成可否情報を第１の情報に含ませて受信装置に送信し、この合成可否情報に基づいて第２の情報の画面に第１の情報の画面を合成するか否かを制御することができる。これにより、第２の情報の画面と第１の情報の画面とを合成するか否かを放送番組の制作者側で指定し、放送番組制作者側の意図を反映して、第２の情報と第１の情報との連携表示を制御することができる。
【００３７】
また、前記受信装置は、さらに、前記合成部によって生成された表示画像から印刷データを生成する印刷データ生成手段と、ユーザからの印刷指示に基づいて、前記印刷データ生成手段による印刷データの生成を制御する印刷制御手段とを備えるとしてもよい。
【００３８】
これによれば、合成可否情報が合成する旨を示しているときのみ、印刷データを生成することで、第１の情報である放送画面単体での印刷を禁止し、さらに、第１の情報である放送画面を印刷するときには、関連する第２の情報であるブラウザ画面と一緒に印刷することで、ユーザが印刷を指示するときには番組制作者側がユーザに提供したいと思っているブラウザ画面も一緒に印刷させるように制御することができる。
【００３９】
なお、本発明は、このようなテレビジョン放送受信機能および通信機能を有する受信装置またはテレビジョン放送システムとして実現することができるだけでなく、このような受信装置またはテレビジョン放送システムが備える特徴的な手段をステップとする番組連携表示方法またはその番組連携表示方法により表示される画面を印刷する印刷制御方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００４０】
以上のように本発明の受信装置及び番組連携表示方法によれば、テレビジョン画面の「提示の一意性」を維持した状態で、すなわち、ユーザが視聴中のテレビジョン画面の表示が損なわれることなくブラウザ画面を表示し、かつ、ブラウザ画面とテレビジョン画面を連動することができるという効果がある。
【００４１】
また、本発明の印刷制御方法によれば、テレビジョン画面とブラウザ画面を一緒に表示している場合、すなわち、番組連携表示時には表示画面の印刷を許可し、テレビジョン画面のみの場合には印刷不可とすることで、テレビ画面のオリジナルの印刷を制限する（すなわち、テレビ画面の著作権を保護する）ことができるという効果がある。
【発明を実施するための最良の形態】
【００４２】
以下、本発明の実施の形態について、図面を用いて詳細に説明する。
（実施の形態１）
図１は、本発明の第１の実施の形態に係るテレビジョン放送装置およびテレビジョン受信機の構成を示すブロック図である。図１において、テレビジョン放送装置１は、多重化部１１０および送信部１２０を備える。テレビジョン受信機２は、テレビジョン画面生成部２００、画面合成部３００、モニタ４００、マイコン５００、メモリ６００、ブラウザ表示指示取得部７１０、ＵＲＬ取得部７２０、リモコン８００およびモデム９００を備える。
【００４３】
テレビジョン受信機２００は、インターネットに接続するためのネットワーク４に接続されている。ネットワーク４には、各種コンテンツ３０１を蓄積したサーバ３が接続されている。テレビジョン受信機２は、テレビジョン放送装置１から送信されたテレビジョン放送信号を受信する機能と、ネットワーク４を介して接続されたサーバ３に蓄積されているコンテンツ３０１を画面に表示する機能（ＷＷＷブラウザ機能）とを有する。なお、図１では図面を簡略化するために、１台のサーバ３のみを示したが、現実のネットワーク４には多数のサーバが接続されている。
【００４４】
テレビジョン放送装置１は、次のように動作する。多重化部１１０は、入力されたテレビジョン信号１０１に、テレビジョン受信機２のＷＷＷブラウザ機能を制御するためのブラウザ制御データ（ブラウザ表示指示１１１、ＵＲＬ１１２）を多重化する。送信部１２０は、テレビジョン受信機２に向けて、多重化部１１０から出力されたテレビジョン放送信号を送信する。
【００４５】
テレビジョン受信機２は、概ね、次のように動作する。テレビジョン画面生成部２００は、テレビジョン放送装置１から送信されたテレビジョン放送信号を受信し、受信したテレビジョン放送信号に基づき、テレビジョン画面を生成する。マイコン５００は、ブラウザ表示指示１１１を受け取ると、ＷＷＷブラウザを起動する。この際、マイコン５００は、取得したＵＲＬ１１２に対応したコンテンツ３０１をサーバ３から受信し、これに基づきブラウザ画面を生成する。画面合成部３００は、マイコン５００から、マイコン５００で生成した表示スタイル情報５１１を受け取る。画面合成部３００は、表示スタイル情報５１１に従い、テレビジョン画面にブラウザ画面を合成する。これにより、モニタ４００には、テレビジョン画面からブラウザ画面に切り替わったときに、ブラウザ画面にテレビジョン画面（例えば、図３）が表示される。
【００４６】
このように、テレビジョン放送装置１は、ブラウザ制御データを含んだテレビジョン放送信号を送信し、テレビジョン受信機２は、ブラウザ制御データに従い、テレビジョン画面にブラウザ画面を合成して表示する。
【００４７】
その際に、テレビジョン受信機２は、マイコン５００に予め保有している表示スタイル情報５１１に基づいて、ブラウザ画面にテレビジョン画面を合成して表示する。
【００４８】
次に、テレビジョン受信機２の各構成要素について説明する。テレビジョン画面生成部２００は、アンテナ２１０、チューナ２２０、トランスポートストリームデコーダ２３０（以下、ＴＳデコーダと略称する）およびオーディオビデオデコーダ２４０（以下、ＡＶデコーダと略称する）を含んでいる。アンテナ２１０は、テレビジョン放送装置１から送信されたデジタルテレビジョン放送の電波を受信し、受信した電波を電気信号に変換して出力する。チューナ２２０は、アンテナ２１０の出力信号から所定の周波数帯域の信号を選択し、選択した信号を復調する。これにより、チューナ２２０は、ＭＰＥＧ（Moving Picture Experts Group）規格に準拠したトランスポートストリームを出力する。
【００４９】
ＴＳデコーダ２３０は、チューナ２２０から出力されたトランスポートストリームに対してＭＰＥＧ規格に従ってフィルタリング処理を行う。このフィルタリング処理は、既に知られているように、ＰＡＴ（Program Association Table）パケットやＰＭＴ（Program Map Table）パケットなどに含まれているプログラム識別子（Program ID）などを用いて行われる。この処理により、トランスポートストリームは、オーディオストリームと、ビデオストリームと、データ放送に関するパケットや上述したブラウザ制御データなどを含んだ制御用ストリームとに分離される。オーディオストリームとビデオストリームとはＡＶデコーダ２４０に供給され、制御用ストリームはマイコン５００に供給される。
【００５０】
ＡＶデコーダ２４０は、ＴＳデコーダ２３０から出力されたオーディオストリームとビデオストリームとをそれぞれ復号し、オーディオ信号とビデオ信号とを出力する。ＡＶデコーダ２４０で求めたビデオ信号は、画面合成部３００に供給される。
【００５１】
画面合成部３００は、合成部３１０、スケーリング部３２０、ワークメモリ３３０および固定スケーリング部３４０を含んでいる。
固定スケーリング部３４０には、マイコン５００がＷＷＷブラウザ処理を実行することによって生成されたブラウザ画面が入力される。固定スケーリング部３４０は、マイコン５００から制御に従い、ブラウザ画面を所定のサイズに変更するスケーリング処理と、画像のフォーマット変換する画像変換処理とを行う。
【００５２】
スケーリング部３２０は、ＡＶでデコーダ２４０からビデオ信号を受け取り、マイコン５００からの制御に従い、ビデオ信号からなるテレビ画面のサイズを変更（拡大または縮小）するスケーリング処理と、画像のフォーマットを変換する画像変換処理とを行う。
【００５３】
ワークメモリ３３０は、スケーリング部３２０と固定スケーリング部３４０の作業用メモリである。スケーリング部３２０でサイズ変更されたＴＶ画面と固定スケーリング部３４０で画像変換処理後のブラウザ画面は、合成部３１０に供給される。
【００５４】
合成部３１０は、マイコン５００からの制御に従い、固定スケーリング部３４０で画像変換処理されたブラウザ画面に、スケーリング部３２０でサイズ変更されたテレビジョン画面を合成する。これにより、モニタ４００には、ブラウザ画面にテレビジョン画面が１つのウインドウとして合成された画面が表示される。
【００５５】
マイコン５００は、テレビジョン受信機２における各種の処理を実行する。メモリ６００は、マイコン５００の作業用メモリであり、マイコン５００が実行するプログラムと各種のデータとを記憶している。マイコン５００は、メモリ６００に記憶されたプログラムを実行することにより、上記各種の処理を実行する。この処理には、後述するように、コンテンツ受信処理、ブラウザ画面生成処理、操作入力受付処理および表示制御処理などが含まれる（図４参照）。
【００５６】
ブラウザ表示指示取得部７１０と、ＵＲＬ取得部７２０はＴＳデコーダ２３０からマイコン５００に対して出力された制御用ストリームから、ブラウザ制御データを抽出するフィルタリング回路である。本実施の形態に係るブラウザ制御データには、ブラウザ表示指示１１１と、ＵＲＬ１１２が含まれている。ブラウザ表示指示１１１は、テレビジョン受信機２に対して、ＷＷＷブラウザを起動し、ブラウザ画面にテレビジョン画面を合成して表示することを指示する命令である。ＵＲＬ１１２は、テレビジョン画面に合成して表示されるべきコンテンツ３０１のＵＲＬである。
【００５７】
ブラウザ表示指示取得部７１０は、制御用ストリームからブラウザ表意指示１１１を抽出する。ＵＲＬ取得部７２０は、制御用ストリームからＵＲＬ１１２を抽出する。これら２つのフィルタリング回路で抽出されたブラウザ制御データは、いずれも、マイコン５００に供給される。
【００５８】
リモコン８００は、テレビジョン受信機２のユーザ（視聴者）によって操作される入力装置である。視聴者はリモコン８００を用いて、テレビジョン受信機２に各種のコマンドを入力する。なお、テレビジョン受信機２が備える入力装置は、リモコン８００に限らず、視聴者によって操作される任意の入力装置でよい。例えば、テレビジョン受信機がテレビジョン放送受信機能を有するパーソナルコンピュータである場合には、マウスやキーボードを入力装置として使用できる。
【００５９】
モデム９００は、通信会社が提供する通信回線に接続されている。モデム９００は、通信回線へデータを送信する機能と、通信回線からデータを受信する機能とを有する。モデム９００は、通信回線の変調方式に従って信号を変調および復調する機能を有するものであれば、その種類は任意でよい。例えば、モデム９００は電話回線に接続されるモデムでもよく、ＡＤＳＬモデムもよく、あるいは、光ファイバ網に接続されるＦＴＴＨＯＮＵ（Fiber To The Home Optical Network Unit）でもよい。
【００６０】
次に、テレビジョン受信機２のＷＷＷブラウザ機能について説明する。マイコン５００は、ＷＷＷブラウザソフトウエアを実行することにより、ＷＷＷブラウザ処理を行う。ＷＷＷブラウザ処理には、少なくとも、コンテンツ受信処理とブラウザ画面生成処理とが含まれる。なお、マイコン５００が実行するＷＷＷブラウザソフトウエアは、一般に市販されているものでもよく、テレビジョン受信機２に専用のものでもよい。
【００６１】
ＷＷＷブラウザ処理のうちコンテンツ受信処理は、ネットワーク４によりインターネットに接続されたサーバ３からコンテンツ３０１を受信する処理である。コンテンツ受信処理では、マイコン５００は、モデム９００を制御する処理と、ＴＣＰ／ＩＰ（Transmission Control Protocol/Internet protocol）などの通信プロトコル処理とを行うことにより、サーバ３に蓄積されたコンテンツ３０１を受信する。受信したコンテンツは、メモリ６００に蓄積される。
【００６２】
なお、サーバ３は、ＷＷＷサーバあるいはウエッブサーバと呼ばれる場合があり、コンテンツ３０１はウエッブコンテンツあるいはウエッブページと呼ばれる場合がある。コンテンツ３０１には、ＨＴＭＬ（Hyper Text Markup Language）ファイル、画像ファイルおよびテキストファイルなど、各種データファイルが含まれる。コンテンツ３０１は、サーバ名とファイル名とを含んだＵＲＬを用いて識別される。ＵＲＬはコンテンツ３０１ごとに割り当てられるものであり、コンテンツ識別情報に相当する。
【００６３】
ＷＷＷブラウザ処理のうちブラウザ画面生成処理は、受信したコンテンツに基づきブラウザ画面を生成する処理である。ブラウザ画面生成処理では、マイコン５００は、まず、受信したコンテンツに含まれる画像ファイルやテキストファイルなどを、各ファイルの特性に応じて復号する。復号結果は、メモリ６００に書き込まれる。次に、マイコン５００は、受信したコンテンツに含まれるＨＴＭＬファイルを参照して、上記復号結果に基づき、ブラウザ画面を構成する各画素の値を求める。この２つの処理により、ブラウザ画面は生成される。生成されたブラウザ画面は、画面を合成する合成部３００に供給され、合成部３００が管理する（図示省略の）表示プレーンに記憶される。
【００６４】
なお、ＷＷＷブラウザ処理では、静止画を含んだコンテンツだけでなく動画を含んだコンテンツを復号し、動画を含んだブラウザ画面を生成しても良い。このように動画を含んだコンテンツを再生する機能は、ストリーミング再生機能と呼ばれる。ブラウザ画面にテレビジョン画面を合成する際、ＢＭＬ（Broadcast Markup Language）で記述された放送系の情報をＸＨＴＭＬ（eXtensible Hyper Text Markup Language）記述に変換して、ＸＨＴＭＬベースでブラウザ画面とテレビジョン画面を合成しても良い。その際に、テレビジョン画面は動画なので、ストリーミング再生機能を用いて再生しても良い。
【００６５】
次に、図２、図３を参照して、表示スタイル情報５１１の詳細を説明する。図２はテレビジョン受信機２によるテレビジョン画面の例を示す図である。図３は、テレビジョン受信機によるブラウザ画面にテレビジョン画面を縮小して合成した例を示す図である。
【００６６】
図２に示すテレビジョン画面は、旅行番組を例にしたもので、画面の左下には、関連する情報のＵＲＬが合成されている。このＵＲＬ表示は、関連する情報がある場合に表示され、関連する情報がある場合でも、ユーザがリモコン８００などにより指示することで表示しないように設定するようして良い。
【００６７】
ユーザがリモコンなどの指示手段を用いてマイコン５００にＷＷＷブラウザ処理を指示すると、マイコン５００は、図２に示されたＵＲＬが示す関連情報の提供元にアクセスして、コンテンツをダウンロードする。そして、ダウンロードしたコンテンツを、ＷＷＷブラウザ処理することでブラウザ画面を生成する。図３は、生成したブラウザ画面と縮小したテレビジョン画面を表示スタイル情報５１１に基づいて合成することによって得られる。
【００６８】
図２、図３において、表示画面２０１のサイズは、水平方向に１９２０画素で、垂直方向に１０８０画素である。図３に示すように、ブラウザ画面２０３に合成後のテレビジョン画面２０２のサイズは、水平方向に２４０画素で、垂直方向に２００画素であるとする。また、表示画面に左上頂点を原点として２次元座標系を設定した場合、テレビジョン画面２０２は、その左上頂点が座標原点から右方向へ１５０画素、下方向へ１００画素離れるように配置されるとする。
【００６９】
ブラウザ画面２０３にテレビジョン画面２０２を合成して表示画面２０１を求めるには、テレビジョン画面２０２をブラウザ画面２０３のどこに配置するかを決定すれば良い。テレビジョン画面２０２の形状が長方形であることを考慮し、ブラウザ画面２０３に対してテレビジョン画面２０２を長方形領域にどのように合わせて合成するかを決定すれば良い。この長方形領域を表すためには、長方形の１つの頂点の位置と、長方形の２辺の長さを用いる方法（以下、第１の方法という）と、長方形の２つの原点を用いる方法（以下、第２の方法という）とがある。上記第１の方法を用いた場合、ブラウザ画面の表示スタイル情報５１１には、テレビジョン画面２０２が位置する長方形領域の左上頂点の座標（１５０、１００）と、その長方形領域の２辺の長さ２４０および２００とが含まれる。上記第２の方法を用いた場合、ブラウザ画面２０３の表示スタイル情報５１１には、テレビジョン画面２０２が位置する長方形領域の左上頂点の座標（１５０、１００）と右下頂点座標（３９０、３００）とが含まれる。
【００７０】
次に図４を参照して、テレビジョン放送装置１の動作を説明する。図４は、テレビジョン放送装置の動作を示すフローチャートである。テレビジョン放送装置１では、まず、多重化部１１０に対してテレビジョン信号１０１が入力される（図４：ステップＳ１０１）。ステップＳ１０１で入力されるテレビジョン信号１０１は、テレビジョン番組を構成するオーディオ信号とビデオ信号とを多重化して得られたトランスポートストリームである。
【００７１】
次に、多重化部１１０に対してテレビジョン受信機２のＷＷＷブラウザ機能を制御するためのブラウザ制御データが入力される（図４：ステップＳ１０２〜Ｓ１０３）。より詳細に述べると、多重化部１１０に対して、ステップＳ１０２ではブラウザ表示指示１１１が入力され、ステップＳ１０３ではＵＲＬ１１２が入力される。
【００７２】
次に、多重化部１１０は、ステップＳ１０１で入力されたテレビジョン信号１０１に、ステップＳ１０２〜Ｓ１０３で入力された２種類のブラウザ制御データを多重化する（図４：ステップＳ１０４）。ステップＳ１０４で求めたテレビジョン信号、送信部１２０に供給される。送信部１２０は、２種類のブラウザ制御データを含んだテレビジョン信号を、テレビジョン受信機２に向けて送信する（図４：ステップＳ１０５）。より詳細には、送信部１２０は、多重化部１１０から出力されたテレビジョン信号に基づき所定の搬送波を変調し、変調後の搬送波を電波の形態で送信する。
【００７３】
なお、ステップＳ１０４においてブラウザ制御データをトランスポートストリームに多重化する方法は、任意でよい。例えば、ブラウザ表示指示１１１を多重化する方法には、データ放送で使用されるＥＣＭＡ（European Computer Manufacturers Association）スクリプトなどのスクリプト言語で記述して多重化する方法がある。また、ＵＲＬ１１２を多重化する方法には、スクリプト記述言語で記述して多重化する方法に加えて、ＥＩＴ（Event Information Table）やＳＤＴ（Service Description Table）などの番組配列情報の識別子として多重化する方法がある。
【００７４】
ブラウザ制御データは、次のようにして求められる。例えば、テレビジョン番組の製作者が、視聴者に、テレビジョン画面に現れる広告対象物のホームページにアクセスしてもらいたいと希望する場合を考える。この場合、テレビジョン番組を制作した後に、広告したいテレビジョン番組を構成する各テレビジョン画面に広告対象物が現れるか否かが調査され、テレビジョン画面に現れる広告対象物に係る情報の格納先のＵＲＬをテレビジョン画面のどこに合成して表示するかが決定される。この際、ＵＲＬの表示は、テレビジョン画面の構成に基づき、元のテレビジョン画面を妨げないように決定される。例えば、テレビジョン画面がコマーシャルメッセージである場合、ＵＲＬの位置は、テレビジョン画面に現れる広告対象物の位置に基づき、広告対象物と重ならないように決定される。
【００７５】
なお、広告対象物は、有体の商品（家庭用電気機器、乗用車、食料品、化粧品など）や、無体のサービス（銀行業、旅行代理、運送、通信業など）でも良い。これらの広告対象物を提供する企業（電気機器メーカ、自動車メーカ、銀行、旅行会社など）は、ネットワーク４に接続されたサーバ３を管理する。サーバ３には、広告対象物を紹介するコンテンツあるいは、広告対象物を提供する企業自身のコンテンツなどが蓄積される。
【００７６】
次に、図５を参照して、テレビジョン受信機２の動作を説明する。以下では、ある旅行番組において、これに関連するツアーなどを取り扱っている旅行会社のコンテンツ格納先ＵＲＬが表示される場合を例として取り上げる。会社Ａは、ネットワーク４に接続されたサーバ３を管理しており、サーバ３には旅行番組に関連する旅行会社のコンテンツが蓄積されているとする。
【００７７】
番組の製作者は、旅行会社が保有するコンテンツに関連する番組が放送されているとき、視聴者にコンテンツにアクセスしてもらいたいと考える。そこで、放送中の番組が、旅行会社が保有するコンテンツに関連する内容になったときに、テレビジョン放送装置１は、入力されたテレビジョン信号１０１にブラウザ表示指示１１１とＵＲＬ１１２とを多重化して送信する。図５は、これらのブラウザ制御データが多重化されたテレビジョン信号をテレビジョン受信機１が受信した後の、マイコン５００の動作を示すフローチャートである。
【００７８】
ブラウザ表示指示取得部７１０は、ＴＳデコーダ２３０から出力された制御用ストリームからブラウザ表示指示１１１を抽出し、マイコン５００に出力する。同様に、ＵＲＬ取得部７２０は、制御用ストリームからＵＲＬ１１２を抽出し、マイコン５００に出力する。
【００７９】
マイコン５００は、まず、ブラウザ表示指示１１３、ＵＲＬ１１２を取得する(図５：ステップＳ２０１)。マイコン５００は、ブラウザ表示指示１１１を受け取ると、ＷＷＷブラウザを起動する指示であると認識し、ステップＳ２０２以降の処理を行う。
【００８０】
次に、マイコン５００は、サーバ３から、ステップＳ２０１で取得したＵＲＬ１１２に対応したコンテンツ３０１を受信する(ステップＳ２０２)。より詳細には、マイコン５００はブラウザ表示指示を受け取ると、直ちにＷＷＷブラウザソフトウエアの実行を開始し、モデム９００を制御するとともに、ＴＣＰ／ＩＰなど所定の通信プロトコル処理を実行する。マイコン５００は、ステップＳ２０１で取得したＵＲＬ１１２のホスト名で指示されたサーバ３にアクセスし、サーバ３から、ＵＲＬ１１２のファイル名で指定されたコンテンツ３０１を受信する。ステップＳ２０２で受信したコンテンツ３１０は、メモリ６００に記憶される。
【００８１】
次に、マイコン５００は、画面合成部３００に予めマイコン５００内に保有していた表示スタイル情報５１１を設定する（図５:ステップＳ２０３）。表示スタイル情報５１１には、ブラウザ画面にテレビジョン画面が合成される位置にある長方形領域に関する情報が含まれている。ステップＳ２０３が実行された後、画面合成部３００は、この長方形領域に関する情報に基づき、ブラウザ画面にテレビジョン画面を合成する。すなわち、画面合成部３００は、この長方形領域に合うようにテレビジョン画面をサイズ変更した後に、ブラウザ画面にサイズ変更後のテレビジョン画面を合成する。
【００８２】
次に、マイコン５００は、ステップＳ２０２で受信したコンテンツに基づき、ブラウザ画面を生成する（ステップＳ２０４）。より詳細には、マイコン５００は、ＷＷＷブラウザソフトウエアを実行することにより、受信したコンテンツに含まれる画像ファイルやテキストファイルなどを、各ファイルの特性に応じて復号し、復号結果をメモリ６００に書き込む。次に、マイコン５００は、受信したコンテンツに含まれるＨＴＭＬファイルを参照して、上記復号結果に基づき、ブラウザ画面を構成する各画素の値を求める。ステップＳ２０４で生成されたブラウザ画面は、画面合成部３００に供給される。
【００８３】
その後、テレビジョン画面の適当な位置にＵＲＬを表示し、視聴者は、この時点で、番組に関連するコンテンツが存在することを知り、リモコン８００を用いて、テレビジョン受信機２に、縮小したテレビジョン画面とブラウザ画面の合成画面表示コマンドを入力する（図５：ステップＳ２０５、合成画面表示）。その際、視聴者は、リモコン８００を用いて、テレビジョン受信機２に、テレビジョン画面サイズ変更コマンドを入力して、テレビジョン画面のサイズをステップＳ２０３の表示スタイル情報によるデフォルトから変更するようにしても良い（図５：ステップＳ２０５、テレビジョン画面サイズ変更）。このようにすれば、ブラウザ画面に合成するテレビジョン画面のサイズを適当に変更することが出来て便利である。また、視聴者は、番組に関連するコンテンツに興味を抱かない場合には、リモコン８００を用いて、テレビジョン受信機２に終了コマンドを入力する（図５:ステップＳ２０５，終了）。
【００８４】
マイコン５００は、リモコン８００からの入力を調べ、合成画面表示が入力された場合はステップＳ２０６へ、テレビジョン画面サイズ変更コマンドが入力された場合はステップＳ２０８へ、終了コマンドが入力された場合はステップＳ２０９へ進む（ステップＳ２０５）。
【００８５】
合成画面表示コマンドが入力された場合、マイコン５００は、受信したコンテンツに縮小したテレビジョン画面を合成して表示させるため、画面合成部３００に対して合成画面表示を指示する（図５:ステップＳ２０６）。その後、マイコン５００はＷＷＷブラウザ処理を行う（図５：ステップＳ２０７）。マイコン５００の制御ステップがステップＳ２０７にある間、視聴者は、テレビジョン受信機２を縮小テレビジョン画面と同時に見ることができるブラウザとして使用することができる。ＷＷＷ処理を実行中に合成表示終了コマンドが入力されると、マイコン５００は、ＷＷＷブラウザ表示指示１１１に関する処理を終了する。
【００８６】
サイズ変更コマンドが入力された場合、マイコン５００は、ブラウザ画面に合成するテレビジョン画面のサイズを視聴者から指定されたサイズに合わせるために、画面合成部３００にサイズ変更コマンドで指定されたサイズを設定する（図５:ステップＳ２０８）。ステップＳ２０８が実行された後、画面合成部３００は、指定されたサイズに合わせてテレビジョン画面のサイズを変更した後、ブラウザ画面にサイズ変更後のテレビジョン画面を合成する（図５：ステップＳ２０８→ステップＳ２０５）。
【００８７】
終了コマンドが入力された場合、マイコン５００は、ブラウザ画面を消去し、通常のテレビジョン画面に戻すため、画面合成部３００に画面消去を指示する（図５：ステップＳ２０９）。ステップＳ２０９が実行された後、画面合成部３００は、テレビジョン画面生成部２００で生成されたテレビジョン画面を出力する。ステップ２０９の後、マイコン５００は、ＷＷＷブラウザ処理を行うことなく、ブラウザ表示指示１１１に関する処理を終了する。
【００８８】
なお、テレビジョン放送装置１は、入力されたテレビジョン信号１０１に、ブラウザ制御データとして、ブラウザ機能の終了を指示するブラウザ表示終了指示を多重化してもよい。この場合、テレビジョン受信機２は、ＴＳデコーダ２３から出力された制御用ストリームからブラウザ表示終了指示を抽出するブラウザ表示終了指示を抽出するブラウザ表示終了指示取得部をさらに備える。マイコン５００は、ステップＳ２０５において、リモコン８００から入力を受け取る前に、ブラウザ表示終了指示取得部からブラウザ表示終了指示を取得した場合には、リモコン８００から終了コマンドが入力された場合と同様に、ステップＳ２０９へ進む。
【００８９】
以上に示すように、本実施形態では、テレビジョン放送装置は、ブラウザ制御データを含んだテレビジョン信号を送信し、テレビジョン受信機は、ブラウザ制御データに従い、ブラウザ画面にテレビジョン画面を合成して表示する。特に、テレビジョン受信機は、テレビジョン放送装置で多重化したブラウザ制御データに基づいてマイコン５００を制御し、予めテレビジョン受信機に設けられた表示スタイル情報に従って、ブラウザ画面に縮小したテレビジョン画面を合成して表示する。これにより、ブラウザ画面の所定の位置にテレビジョン画面全体を縮小して表示して、ブラウザ画面に切り替えても常にテレビジョン画面全体を表示することができる。
【００９０】
また、テレビジョン受信機は、ブラウザ表示指示を受け取ると、直ちにＷＷＷブラウザ処理を開始して、テレビジョン放送に連動して縮小したテレビジョン画面全体を合成したブラウザ画面の表示が可能となる。
【００９１】
さらに、ブラウザ画面の表示スタイルは、少なくともブラウザ画面の特定の位置に縮小したテレビジョン画面が重ねて表示されるように記述されたものを予めテレビジョン受信機２が保有しているものとする。これにより、必ず、縮小されていたとしても、ブラウザ画面を表示するとき、必ず、テレビジョン画面の全画面を表示することができる。すなわち、テレビ受信機での表示は、テレビジョン画面優先表示とし、ブラウザ画面表示中であっても、必ず、テレビジョン画面全体を表示することができる。
【００９２】
また、本実施の形態では、ブラウザ画面表示時のテレビジョン画面合成表示スタイルは、予めテレビジョン受信機が保有していることとしたが、テレビジョン画面合成表示スタイルを予め決めておいて、これに基づいてサーバ３でコンテンツ３０１を作成するようにしても良い。このようにすれば、テレビジョン画面が合成される位置を回避して最適なブラウザ画面の配置を実現できる。
【００９３】
なお、上記実施の形態の説明では、ブラウザ画面上にそれと関連するテレビジョン画面を継続して縮小表示する場合について説明したが、本発明はこれに限定されない。例えば、現在表示しているブラウザ画面上に、関連するテレビジョン画面を縮小表示するとともに、さらに、ブラウザ画面上のそれとは別の領域に、ブラウザ画面とは直接関連がないユーザの興味のある別チャネルのテレビジョン縮小画面または過去に表示されたテレビジョン画面の一部を縮小表示するとしても良い。以下では、現在表示中のブラウザ画面と関連するテレビジョン画面を「第１ＴＶ画面」、別チャネルまたは過去に表示されたテレビジョン画面の一部を表示する画面を「第２ＴＶ画面」という。例えば、第２ＴＶ画面には、その画面の内容に関連するインターネット上のホームページを表すコンテンツの格納先のＵＲＬがリンクされており、このリンクよりそのコンテンツを取得して、関連のブラウザ画面を表示する。ここで、現在表示中のブラウザ画面に直接関連するテレビジョン画面と、直接には関連しないテレビジョン画面とを合成し、ブラウザ画面を切り替える例の具体例について図６および図７を用いて説明する。
【００９４】
図６は、ホテルのホームページを表示しているブラウザ画面に、ブラウザ画面にリンクした現在受信中の旅行番組を表示する第１ＴＶ画面と、同じ旅行番組の中で過去に表示された一部である第２ＴＶ画面とを合成して表示した画面の一例を示す図である。ブラウザ画面の左上に縮小表示されているのが現在受信中の第１ＴＶ画面であり、右下に縮小表示されているのが過去に表示された一部である第２ＴＶ画面である。図６に示す画面（ホテルのホームページへのＵＲＬ）が表示される以前に、例えば、ユーザは、旅行番組を視聴していて、興味のある航空会社のホームページへのリンクが表示されていた場合、その部分の番組（図２参照）をワークメモリ３３０などのメモリまたは外部に接続されるビデオレコーダなどに録画しておくものとする。次いで、時間の経過とともに番組の内容が変化し、例えば、同じ旅行番組の中で、先ほどユーザに録画された内容とは異なる地方の旅行が案内される。このとき、図示しないが、例えば、モニタ４００の画面には図６の画面左上に縮小表示されている第１ＴＶ画面が全画面で表示されている。この第１ＴＶ画面には、例えば、この番組で紹介したホテルのホームページへのＵＲＬ（例えば、「ｈｔｔｐ：／／ｗｗｗ．ｈｏｔｅｌ．ｃｏ．ｊｐ」）が表示されている。これと併せて、ユーザが、あらかじめモード設定しておくことにより、録画された第２ＴＶ画面が画面の右下に縮小表示される。この第２ＴＶ画面には、航空会社のホームページへのＵＲＬ（例えば、「ｈｔｔｐ：／／ｗｗｗ．ａｉｒｌｉｎｅｗａｙｓ．ｃｏ．ｊｐ」）が表示されている。この状態で、ユーザがリモコン操作により、第１ＴＶ画面または第２ＴＶ画面のいずれか（図６では第１ＴＶ画面）を指定して、ＴＶ画面に表示されているリンク先のホームページの表示を指示することにより、図６に示す画面が表示される。図６では、第１ＴＶ画面のＵＲＬから取得されたホテルのホームページがブラウザ画面で表示され、その直前まで全画面で表示されていた第１ＴＶ画面が、ブラウザ画面の左上に縮小表示される。この図６の画面は、全画面に配置されたブラウザ画面の一部の互いに重複しない領域に、縮小された第１ＴＶ画面と前述の第２ＴＶ画面とが、いずれもブラウザ画面の前面に表示されるよう合成されている。この状態で、さらに、例えば、ユーザのリモコン操作などにより、第２ＴＶ画面に表示されたＵＲＬのホームページの表示が指示された場合、マイコン５００は、第２ＴＶ画面中のＵＲＬ「ｈｔｔｐ：／／ｗｗｗ．ａｉｒｌｉｎｅｗａｙｓ．ｃｏ．ｊｐ」で示されるサーバ３から航空会社のホームページを表すファイルを取得し、直前まで表示されていたホテルのホームページを、取得した航空会社のホームページの表示に更新する。
【００９５】
このように、ブラウザ画面上に、縮小された第１ＴＶ画面と第２ＴＶ画面とを表示しておくことにより、ユーザは、現在受信されている第１ＴＶ画面の視聴を継続しながら、第２ＴＶ画面（過去に表示されたテレビジョン画面の一部）に表示されたＵＲＬのホームページをブラウザ画面で見ることができる。また、本発明のテレビジョン受信機２によれば、ブラウザ画面を切り替える場合であっても、第１ＴＶ画面の全画面表示に戻ることなく、直接、ブラウザ画面だけを切り替えることができる。従って、ブラウザ画面を別のブラウザ画面に切り替える手順が簡単で、便利である。一方、表示されている画面を縮小表示から全画面表示に切り替えた場合には、例えば、注目していた画像がそれまでとは異なる位置に表示されてしまう可能性がある。これに対しても、本発明のテレビジョン受信機２によれば、第１ＴＶ画面の全画面表示に戻ることなく、直接、ブラウザ画面だけを切り替えることができるので、ユーザは、第１ＴＶ画面の視聴を継続する場合に、視線を移動することなく画面を見続けることができ、例えば、注目していた画像を画面内で見失う危険性が少ない。なお、第２ＴＶ画面の表示の仕方としては、あらかじめ録画されたうち、ユーザに指定された特定の画面の静止画を表示するとしてもよいし、複数録画された画像を例えば、古いものから順に、再生していくとしてもよい。また、以上では、第１ＴＶ画面が全画面で表示されている前面に第２ＴＶ画面を縮小表示すると説明したが、これに限らず、第２ＴＶ画面については、ブラウザが起動されるまでは表示されないとしてもよい。その場合、第２ＴＶ画面は、例えば、（１）ユーザのリモコン操作によりブラウザ画面の右下に縮小表示される。または、（２）ユーザが、あらかじめモード設定しておくことにより、第１ＴＶ画面からブラウザが起動されたとき自動的にブラウザ画面の右下に縮小表示される。
【００９６】
図７の（ａ）は、ブラウザ画面としての航空会社のホームページに、旅行番組（ブラウザ画面左上）とスポーツ番組（ブラウザ画面右下）のテレビジョン画面の縮小画面を合成して表示した画面の一例を示す図である。図７の（ｂ）は、ブラウザ画面としてのプロ野球のホームページに、スポーツ番組（ブラウザ画面左上）と旅行番組（ブラウザ画面右下）のテレビジョン画面の縮小画面を合成して表示した画面の一例を示す図である。図７（ａ）および図７（ｂ）に縮小表示されている旅行番組のＴＶ画面７０１とスポーツ番組のＴＶ画面７０２とは、例えば、２つのチューナで同時に並行して受信されている番組のテレビジョン画面である。すなわち、図７（ａ）および図７（ｂ）では、いずれも、現在表示されているブラウザ画面に関連するテレビジョン画面の縮小画面をブラウザ画面の左上に表示し、現在表示しているブラウザ画面に直接関連しないテレビジョン画面の縮小画面をブラウザ画面の右下に表示している。ユーザは、図７（ａ）の画面を表示している状態で、スポーツ番組のＴＶ画面７０２に合成されているプロ野球のホームページのＵＲＬに基づいて、プロ野球のホームページを表示するようにリモコン８００を用いてマイコン５００に指示することで、図７の（ｂ）に示すような表示に切り替えることができる。
【００９７】
このようにすれば、現在表示されているブラウザ画面に直接関係するテレビジョン画面からのみでなく、ブラウザ画面に合成表示されている別チャネルのテレビジョン画面のＵＲＬに基づいて、新たなブラウザ画面を表示させることができる。また、ブラウザ画面に直接関係するテレビジョン画面を常に左上に縮小画面で表示し、そのテレビジョン画面とは別のチャネルのテレビジョン画面を常に右下に縮小表示するので、ユーザにとっては、現在表示されているブラウザ画面とテレビジョン画面との関係が分かり易いという効果がある。また、現在のブラウザ画面から一旦テレビジョン画面の全画面表示に戻してから別チャネルのＴＶ画面にアクセスする手順をふまずとも、所望のブラウザ画面に直接アクセスすることが可能となるので、手間がかからず便利である。
【００９８】
また、テレビジョン信号に多重化するブラウザ制御データに、ブラウザ画面に放送系画面を合成するか否かを指示する合成可否情報を含ませて、この合成可否情報に基づいてブラウザ画面に放送系画面を合成するか否かを制御するようにしても良い。より、具体的には、テレビジョン放送装置１でテレビジョン信号にブラウザ制御データを多重化する際、ブラウザ画面に放送系画面を合成するか否かを指示する合成可否情報も一緒に多重化する。そして、受信装置２は、ＴＳデコーダ２３０からマイコン５００に向けて出力された制御用ストリームから、合成可否情報を抽出する合成可否情報取得部７３０により合成可否情報を抽出する。マイコン５００は、抽出した合成可否情報が合成する旨を示している場合に、ブラウザ画面に少なくとも１以上の放送系画面を合成するように合成部３００を制御する。これとは逆に、マイコン５００は、抽出した合成可否情報が合成しない旨を示している場合、ブラウザ画面に放送系画面を合成しないように合成部３００を制御する。
【００９９】
このようにすれば、テレビジョン信号を放送する側で、ブラウザ画面にテレビジョン画面を合成するか否かを設定することができるので、番組制作者やスポンサーの意思を反映した上で、ブラウザ画面にテレビジョン画面を合成するか否かの制御を実現できる。より、具体的には、連携先情報を出力する際に、番組情報を合成して出力する必要性が乏しい場合、例えば、コマーシャル性の強い番組で連携先の情報を出力する方がスポンサーにとってメリットが大きいような場合は番組情報を合成せず、番組情報が主体で連携先情報を出力する場合も常に番組情報を出力したい場合は、連携情報に番組情報を合成することで、テレビジョン放送を送信する側の意図に応じて、連携先情報の中に番組情報を合成するか否かの制御を適宜に行うことができる。
【０１００】
＜表示制御信号に基づいてテレビジョン画面を最前面に表示するように制御＞
なお、上記実施の形態では、ブラウザ画面にテレビジョン画面の一意性を確保して合成するスタイル情報をテレビジョン受信機に予め保有している場合について説明したが、本発明は、これに限定されるものではない。例えば、テレビジョン放送データと一緒に番組連携表示時のスタイル情報をテレビジョン放送装置から送信するようにしても良い。
【０１０１】
さらに、番組連携表示時に、一意性を確保したテレビジョン画面を最前面に表示するか否かを制御するための表示制御信号を、テレビジョン放送装置から送出して、テレビジョン受信装置は、テレビジョン放送装置からの表示制御信号に基づいてテレビジョン画面を前面に表示するか否かを制御するようにしても良い。この場合の具体的な構成を図９に示す。
【０１０２】
以下、表示制御信号に基づいてテレビジョン画面を前面に表示するか否かを制御する実施の形態について図９を用いて説明する。ここで、図９において図１と同じ構成要素には同じ番号を付して、同様の機能については説明を省略する。
【０１０３】
図９に示すように、テレビジョン放送装置１の多重化部１１０は、入力されたテレビジョン信号１０１に、テレビジョン受信機２のＷＷＷブラウザ機能を制御するためのブラウザ制御データ（ブラウザ表示指示１１１、ＵＲＬ１１２）および表示制御信号１１４を多重化する。送信部１２０は、テレビジョン受信機２に向けて、多重化部１１０から出力されたテレビジョン放送信号を送信する。
【０１０４】
テレビジョン受信機２は、概ね、次のように動作する。テレビジョン画面生成部２００は、テレビジョン放送装置１から送信されたテレビジョン放送信号を受信し、受信したテレビジョン放送信号に基づき、テレビジョン画面を生成する。マイコン５００は、ブラウザ表示指示１１１を受け取ると、ＷＷＷブラウザを起動する。この際、マイコン５００は、取得したＵＲＬ１１２に対応したコンテンツ３０１をサーバ３から受信し、これに基づきブラウザ画面を生成する。画面合成部３００は、マイコン５００から、マイコン５００で生成した表示スタイル情報５１１を受け取る。この表示スタイル情報５１１は、表示制御信号１１４がテレビジョン画面をＷＷＷブラウザ画面よりも前面に表示する旨を示しているとき、一意性を確保して表示するテレビジョン画面の表示領域を考慮したブラウザ画面のスタイルを規定している。
【０１０５】
画面合成部３００は、表示スタイル情報５１１に従い、テレビジョン画面とブラウザ画面を合成する。これにより、モニタ４００には、テレビジョン画面からブラウザ画面に切り替わったときに、ブラウザ画面より前面に一意性を確保されたテレビジョン画面が表示される。
【０１０６】
このように、テレビジョン放送装置１は、ブラウザ制御データと表示制御信号を含んだテレビジョン放送信号を送信し、テレビジョン受信機２は、ブラウザ制御データと表示制御信号に従い、テレビジョン画面とブラウザ画面の連携表示を制御する。
【０１０７】
その際に、テレビジョン受信機２は、表示制御信号がテレビジョン画面をＷＷＷブラウザ画面よりも前面に表示する旨を示している時、マイコン５００に予め保有している表示スタイル情報５１１に基づいて、一意性を確保したテレビジョン画面をブラウザ画面に合成して表示する。
【０１０８】
次に、図９における図１と異なるテレビジョン受信機２の各構成要素の動作について説明する。
ＴＳデコーダ２３０は、チューナ２２０から出力されたトランスポートストリームに対してＭＰＥＧ規格に従ってフィルタリング処理を行う。このフィルタリング処理により、トランスポートストリームは、オーディオストリームと、ビデオストリームと、データ放送に関するパケットや上述したブラウザ制御データや表示制御信号などを含んだ制御用ストリームとに分離される。この御用ストリームはマイコン５００に供給される。
【０１０９】
マイコン５００は、テレビジョン受信機２における各種の処理を実行する。メモリ６００は、マイコン５００の作業用メモリであり、マイコン５００が実行するプログラムと各種のデータとを記憶している。マイコン５００は、メモリ６００に記憶されたプログラムを実行することにより、図１を用いて説明した上記各種の処理および表示制御信号によるテレビジョン画面の表示制御などを行なう。
【０１１０】
表示制御信号取得部７５０は、ＴＳデコーダ２３０からマイコン５００に対して出力された制御用ストリームから、表示制御信号を抽出するフィルタリング回路である。
表示制御信号１１４は、テレビジョン画面をＷＷＷブラウザ画面よりも前面に表示するか否かを、テレビジョン放送装置からテレビジョン受信装置に対して指示する信号である。
【０１１１】
マイコン５００は、表示制御信号１１４がテレビジョン画面を前面に表示する旨を示しているとき、画面合成部３００に対してテレビジョン画面がＷＷＷブラウザ画面よりも前面に表示されるように画像の合成指示をする。
【０１１２】
これとは逆に、マイコン５００は、表示制御信号１１４がテレビジョン画面を前面に表示しない旨を示しているとき、画面合成部３００に対してＷＷＷブラウザ画面がテレビジョン画面より前面に表示されるように、または、ＷＷＷブラウザ画面のみが表示されるように、画像の合成を指示する。
【０１１３】
ここで、テレビジョン画面を前面に表示するか否かを制御する具体例について述べる。
＜コマーシャル時＞
テレビジョン番組の放送中は、放送局側としては連携先のＷＷＷブラウザ画面の表示に切り替えることなく、テレビジョン番組を連続視聴してほしい。
【０１１４】
しかし、視聴者が当該コマーシャルに係る商品に興味をもち、コマーシャル情報よりもより詳細な連携先のＷＷＷブラウザ画面の情報を閲覧したい場合、コマーシャルに係る商品の購買意欲を高めるという目的に沿っているので、必ずしも、テレビジョン画面を前面に表示せず、ＷＷＷブラウザ画面を前面に表示、あるいは、ＷＷＷブラウザ画面のみを表示するようにしても良い。図１０（ａ）〜（ｃ）は、コマーシャル時の表示の一例である。図１０の（ａ）に示すような携帯電話に係るコマーシャルの放送中、ＷＷＷブラウザ連携情報がある場合、画面下中に「ＷＷＷ連携」という表示がされる。これが出ている時、リモコンの特定のボタンを押下すると、ＷＷＷブラウザ連携モードに移行する。ＷＷＷブラウザ連携モードに移行した場合、図１０の（ｂ）に示すようなテレビジョン画面よりも携帯電話の商品情報が掲載されたＷＷＷブラウザ画面が前面に表示、または図１０の（ｃ）に示すようなＷＷＷブラウザのみの表示になる。
【０１１５】
＜天気予報時＞
テレビジョン画面の前面表示の例外として、テレビジョン番組が天気予報である場合について説明する。天気予報の場合、全国の予報、地域の予報、または週間天気予報などが順次報道される。しかし、視聴者は、自分の知りたい情報を直接、かつ、早く知りたいはずである。そこで、天気予報のときには、ＷＷＷブラウザ画面でユーザの希望する地域の予報を提供する。そうすれば、テレビジョン番組としての天気予報の報道順に関係なく、ユーザが希望する情報を直接閲覧することができるので便利である。また、この時、必ずしもテレビジョン画面を前面表示する必要はなく、ＷＷＷブラウザ画面の情報が欠落しないように前面に表示、または、ＷＷＷブラウザ画面のみを表示するようにすれば、視聴者が知りたい情報をより見易く表示することができる。図１１は天気予報時の表示の一例である。図１１の（ａ）に示すような実況天気図による報道中、ＷＷＷブラウザ連携情報がある場合、画面下中に「ＷＷＷ連携」という表示がされる。これが出ている時、リモコンの特定のボタンを押下すると、ＷＷＷブラウザ連携モードに移行する。ＷＷＷブラウザ連携モードに移行した場合、図１１の（ｂ）に示すようなテレビジョン画面よりも視聴者がより早く知りたいＷＷＷブラウザ画面の気象情報が前面に表示、または図１１の（ｃ）に示すようなＷＷＷブラウザのみの表示になる。
【０１１６】
なお、上記「ＷＷＷ連携」という表示は、図１０の（ａ）、図１１の（ａ）に示したものに限定されない。例えば、「ブラウザモード」など、ＷＷＷブラウザモードへ移行可能なことを報知するのに適した表現であれば良い。
【０１１７】
また、「ＷＷＷ連携」と表示されたときに、リモコンの特定のボタンを押下するとしたが、これに限定されるものではない。例えば、受信機に音声認識機能を付加して、「ＷＷＷ連携」と表示されたときに、視聴者が「移行」と音声にて指示したらＷＷＷ連携モードに移行するように構成しても良い。
【０１１８】
また、テレビジョン画面の前面表示を解除する例として、緊急放送への対応が考えられる。例えば、番組放送自体が緊急放送に切り替わった場合、テレビジョン画面の前面表示制御を解除する。そして、緊急放送に関連した連携情報（ＷＷＷブラウザ画面）を前面に表示、またはＷＷＷブラウザ画面のみを表示するように制御する。このようにすれば、テレビジョン放送と連携したより詳細な情報を提供することができるのでユーザにとっても好適である。
【０１１９】
このように、本発明では、テレビジョン放送局は、テレビジョン放送の内容に応じて、テレビジョン画面の一意性を確保してＷＷＷブラウザよりテレビジョン画面を前面に表示するか否かを制御可能とした。これによれば、番組制作者側の意図と視聴者の利便性を考慮して、適宜、テレビジョン画面の前面表示制御を行なうことができる。
【０１２０】
次に、テレビジョン画面の前面表示制御について具体的に説明する。
まず、表示のスタイルとレイヤーについて説明する。
ＷＷＷブラウザ画面、すなわちＨＴＭＬやＸＭＬ等の構造化文書にスタイル（フォント、文字間隔、音声挿入など）を設定するにはＷ３Ｃ（World Wide Web Consortium）勧告として公開されたＣＳＳ２などのスタイルシート言語を用いれば良い。
【０１２１】
ＣＳＳ２では、ＷＷＷブラウザ画面を構成する各ボックスが三次元空間に位置を持つ。ボックスの水平位置と垂直位置に加えて「Ｚ軸」が存在し、あるボックスは別のボックスより前面に整形される。特に、ボックス同士が見た目に重なる時にＺ軸は意味を帯びる。
【０１２２】
特定のボックス、ここではテレビジョン放送画面、をより前面に表示させることは、レイヤーの概念を用いて表現すれば、ユーザが画面と向かい合っている時に、ボックスがＺ軸に沿って、よりユーザに近いことを意味する。Z軸とは、つまり、スクリーンからリーダへの軸を想定している。
【０１２３】
ＷＷＷブラウザ画面においてレイヤーを規定するには、スタックレベル(stack level)というもの指定する。スタックレベルが高いものほど前面（ユーザに近い方）に、低いほど背面（ユーザから遠い方）に表示される。
【０１２４】
同じスタックレベルのボックスが重なった場合は、ソース上でより後に現れるボックスが上に表示される。
より正確には、属しているＺ座標(スタックコンテキスト(stacking context)という)からの相対座標を指定する。ルート要素はルートスタックコンテキストを設定する(例えばＺ軸に於いて"０")。
【０１２５】
あるボックスに対して"z-index:1"と指定すると、Ｚ軸に於いて１の点に位置づけられる。更にそのボックスの中にあるボックスに"z-index:-1"と指定すると、親ボックスがスタックコンテキストとして機能し、そのボックスはＺ軸上で１から数えて−１の点、つまり座標上"０"の点に戻って来る。ボックスは親ボックスの向こう側に、ルートボックスの手前に、挟まれた形で表示される。
【０１２６】
図１２にスタックレベルの指定例を示す。図１２に示すように、ＷＷＷブラウザ画面が"z-index:1"〜"z-index:ｎ（ｎは整数）"で指定されているとすると、テレビジョン放送画面は"z-index:ｎ＋ｍ（ｎ、ｍは整数）"と指定し、ｍの値を1以上にすることで最前面に表示される。但し、"z-index"のプロパティは、Ｚ軸の絶対座標では無く、相対座標を指定するものであることに注意しなければならない。
【０１２７】
また、図１２に示すようにＷＷＷブラウザ画面の"z-index"値の最大値は、ｎ（ｎは整数）となる。しかし、連携する番組によって連携先のＷＷＷブラウザ画面が異なることにより、この"z-index"値の最大値ｎ（ｎは整数）は、連携する番組によって異なる。
【０１２８】
したがって、連携する番組毎にＷＷＷブラウザ画面の基準となるレイヤー（"z-index:0"）に対する"z-index"値の最大値またはＷＷＷブラウザ画面のレイヤー数としてｎ（ｎは整数）を抽出し、これをＷＷＷブラウザ画面のみの最前面の"z-index"値、すなわち"z-index"の最大値とする。そして、テレビジョン放送画面の"z-index"値がＷＷＷブラウザ画面の"z-index"の最大値よりも大きくなるように設定すれば、テレビジョン画面を最前面に表示するように制御することができる。図１２では、テレビジョン放送画面の"z-index"値は、ｎ＋ｍ（ｎ、ｍは整数）としているが、ｍの値は１以上の整数となる。なお、テレビジョン画面設定値は、ＷＷＷブラウザ画面の"z-index"の最大値に対して十分大きな値に設定するのが好ましいので、ｍの値は、例えば、１００などとすれば、ＷＷＷブラウザ画面の切り替わりによりＷＷＷブラウザ画面の"z-index"の最大値が多少変動しても、その都度ＷＷＷブラウザ画面の"z-index"値の最大値またはＷＷＷブラウザ画面のレイヤー数であるｎ（ｎは整数）を抽出しなくても、常に、テレビジョン画面を最前面に表示することができる。
【０１２９】
次に、表示制御信号１１４によるテレビジョン画面表示レイヤーの制御について説明する。
表示制御信号１１４は、図９に示すようにテレビジョン放送装置１によりテレビジョン放送信号に多重化されている。ＴＳデコーダ２３０は、チューナ２２０から出力されたトランスポートストリームに対してＭＰＥＧ規格に従ってフィルタリング処理を行う。このフィルタリング処理により、トランスポートストリームは、オーディオストリームと、ビデオストリームと、データ放送に関するパケットや上述したブラウザ制御データ、表示制御信号などを含んだ制御用ストリームとに分離される。
【０１３０】
表示制御信号１１４は、制御用ストリームから表示制御信号取得部７５０により抽出されて、制御用マイクロコンピュータ５００に送られる。
制御用マイクロコンピュータ５００は、ブラウザ表示指示取得部７１０で取得したブラウザ表示指示を受けた場合、ＵＲＬ取得部７２０で取得したＵＲＬに基づいてＷＷＷブラウザ表示データを取得する。
【０１３１】
その後、取得したＷＷＷブラウザ表示データの基準となるレイヤー（"z-index:0"）に対する"z-index"値の最大値またはＷＷＷブラウザ画面のレイヤー数としてのｎ（ｎは整数）を抽出して、"z-index"値の最大値ｎ（ｎは整数）として図示省略の記憶手段に保持する。
【０１３２】
また、制御用マイクロコンピュータ５００は、表示制御信号（indication signal：IS）がテレビジョン画面をＷＷＷブラウザ画面より前面に表示する旨を示している時、例えば"IS=11"、テレビジョン画面の"z-index"値をｎ＋ｍ（ｎ、ｍは整数、１≦ｍ）、例えばｍ＝１００、とする。
【０１３３】
これにより、テレビジョン画面が最前面に表示されるようになる。
また、制御用マイクロコンピュータ５００は、表示制御信号（IS）がテレビジョン画面をＷＷＷブラウザ画面より背面に表示する旨を示している時、例えば"IS=01"、テレビジョン画面の"z-index"値をｎ＋ｍ（ｎ、ｍは整数、ｎ−ｍ≦０）、例えばｍ＝ｎ、とする。
【０１３４】
これにより、テレビジョン画面がＷＷＷブラウザ画面よりも背面に表示されるようになる。
また、制御用マイクロコンピュータ５００は、表示制御信号（IS）がＷＷＷブラウザ画面のみ表示する旨を示している時、例えば"IS=00"、画面合成部３００において、テレビジョン画面のデータをクリアして、ＷＷＷブラウザ画面のみを表示するように制御する。この際、ＷＷＷブラウザ画面の固定スケーリング３４０の設定を変更して、ＷＷＷブラウザ画面が最大表示されるように制御しても良い。
【０１３５】
なお、上記では、テレビジョン放送装置１においてテレビジョン放送信号に多重化されている表示制御信号に基づいてテレビジョン画面を前面に表示するように制御する場合について説明したが、テレビジョン放送装置１がテレビジョン画面の前面表示に対応していない場合は、ユーザがリモコンなどにより指示することでテレビジョン画面の前面表示制御をするように構成しても良い。具体的には、テレビジョン受信機２に、テレビジョン画面の前面表示制御機能を付与して、上記表示制御信号（IS）の値、例えば"11"、"01"、"00"を（図示省略の）リモコンのテンキーから入力することで、テレビジョン画面の前面表示制御をするような形態などが考えられる。このようにすれば、パーソナルコンピュータのマウスのようなポインティングデバイスを持たないテレビジョン受信機において、ユーザはリモコンを用いて前面に表示したい画面のレイヤーを簡単に指定することができる。
【０１３６】
また、上記実施の形態において、表示スタイル情報はテレビジョン受信機で予め保有するものを用いる場合について説明したが、これに限定されるものではない。例えば、先行技術（特開2003-78837）にて開示されているように、テレビジョン放送装置から送信する表示スタイル情報で番組連携時の表示スタイルを指定するようにしても良い。
【０１３７】
また、上記実施の形態において、スタックレベル(stack level)を指定することでＷＷＷブラウザ画面においてレイヤーを規定することでテレビジョン画面の前面表示制御する例を説明したが、表示制御するパターンに合わせた複数のスタイル情報、例えば、通常のテレビジョン表示用スタイル情報、テレビジョン画面とＷＷＷブラウザ画面連携時のテレビジョン画面前面表示用スタイル情報、テレビジョン画面とＷＷＷブラウザ画面連携時のＷＷＷブラウザ画面前面表示用スタイル情報、ＷＷＷブラウザ画面のみ表示用スタイル情報など、を保有しておいて、前面表示制御信号に基づいて表示スタイル情報を切り替えて適用するようにしても良い。このようにしてもテレビジョン画面の前面表示制御を実現することができる。
【０１３８】
（実施の形態２）
本実施の形態では、上記実施の形態１でブラウザ画面に放送系画面を合成するか否かを制御するのに用いた合成可否情報により、画面表示するデータを印刷するか否かを制御する例について図８を用いて説明する。
【０１３９】
図８は、本発明の第２の実施の形態に係るテレビジョン放送装置およびテレビジョン受信機の構成を示すブロック図である。ここで、実施の形態１に係るテレビジョン放送装置およびテレビジョン受信機を示すブロック図１と同じ構成要素には同一の番号を付与し、説明を省略する。
【０１４０】
それでは、以下に、本実施の形態２に係る図８で新たに追加された構成要素について説明する。
ここで、新たに追加された合成可否情報１１３は、テレビジョン放送装置１の多重化部１１０に入力されている。
【０１４１】
そして、テレビジョン受信機２のＴＳデコーダ２３０でフィルタリング処理により分離した制御用ストリームは、本実施の形態２で新たに追加された合成可否情報取得部７３０に入力される。
【０１４２】
合成可否情報取得部７３０は、制御用ストリームから合成可否情報を抽出し、マイコン５００に送る。
マイコン５００は、合成可否情報に基づいて本実施の形態２で新たに追加された印刷データ生成部７４０で、印刷データを生成するか否かの制御を行う。
【０１４３】
印刷データ生成部７４０は、画面合成部３００から出力される画面表示データを受け取り、これをもとに印刷データを生成する。
上記の実施の形態２によれば、テレビジョン画面のみの印刷を禁止し、テレビジョン画面にブラウザ画面が合成されたとき、すなわち、合成可否情報が合成する旨を示しているときのみ印刷データを生成するようにして、テレビジョン画面の印刷（印刷データ生成）を制御することができる。
【０１４４】
なお、上記実施の形態２では合成可否情報により画面表示するデータを印刷するか否かを制御する例について説明したが、合成可否情報に代えてブラウザ表示指示１１１に基づいてブラウザを表示している場合に画面表示するデータの印刷を可とするように制御しても良い。すなわち、ＷＷＷブラウザ画面を連携表示しているときにテレビジョン画面の印刷を許可するように制御する。
【０１４５】
また、テレビジョン画面とＷＷＷブラウザ画面を連携表示していないときであっても、テレビジョン画面の印刷をする場合には、印刷対象のテレビジョン画面の放送時間帯の番組協賛会社のコマーシャルとテレビジョン画面とを合成することで印刷を許可するようにしても良い。この場合のコマーシャルは、番組に連携したＷＷＷブラウザ画面や番組の途中に挿入されるテレビジョン放送画面などがある。ＷＷＷブラウザ画面の場合、テレビジョン画面の印刷指示を受けたとき、番組に連携したＷＷＷブラウザ画面のＵＲＬをテレビジョン放送装置から取得する。番組の途中に挿入されるテレビジョン放送のコマーシャルの場合であって、該当のコマーシャル情報が予めテレビジョン放送に同報されたものをフィルタリングしてテレビジョン受信機２の記憶手段に格納されている場合は、記憶手段に格納されたコマーシャル情報を用いる。記憶手段に該当のコマーシャル情報が存在しない場合、印刷指示を受けた後、テレビジョン放送装置に該当のコマーシャル情報を要求して取得するようにしても良い。このように、テレビジョン画面の印刷を許可するときは、関連のコマーシャル情報と合成して印刷することで、宣伝効果を向上することができる。
【産業上の利用可能性】
【０１４６】
テレビジョン放送などを受信し、インターネットなどの通信回線網を介して通信する機能を備えるとともに、テレビジョン画面の「提示の一意性」を維持した状態で、ブラウザ画面とテレビジョン画面とを連動させて表示する番組連携表示機能を有するＳＴＢ（Set Top Box）およびテレビジョン受信装置として有用である。また、テレビジョン受信機能を有するコンピュータや携帯端末などにも適用可能である。
【図面の簡単な説明】
【０１４７】
【図１】本発明の実施の形態１に係るテレビジョン放送装置およびテレビジョン受信機の構成を示すブロック図である。
【図２】テレビジョン受信機によるテレビジョン画面の例を示す図である。
【図３】テレビジョン受信機によるブラウザ画面にテレビジョン画面を縮小して合成した例を示す図である。
【図４】本発明の実施の形態１に係るテレビジョン放送装置の動作を示すフローチャートである。
【図５】本発明の実施の形態１に係るブラウザ制御データが多重化されたテレビジョン信号をテレビジョン受信機１が受信した後の、マイコン５００の動作を示すフローチャートである。
【図６】ホテルのホームページを表示しているブラウザ画面に、ブラウザ画面にリンクした現在受信中の旅行番組を表示する第１ＴＶ画面と、同じ旅行番組の中で過去に表示された一部である第２ＴＶ画面とを合成して表示した画面の一例を示す図である。
【図７】現在のブラウザ画面に関連するテレビジョン画面の縮小画面と関連しない他のテレビジョン画面の縮小画面とを合成した例を示す図である。（ａ）は、ブラウザ画面としての航空会社のホームページに、旅行番組（ブラウザ画面左上）とスポーツ番組（ブラウザ画面右下）のテレビジョン画面の縮小画面を合成して表示したものである。（ｂ）は、ブラウザ画面としてのプロ野球のホームページに、スポーツ番組（ブラウザ画面左上）と旅行番組（ブラウザ画面右下）のテレビジョン画面の縮小画面を合成して表示したものである。
【図８】本発明の実施の形態２に係るテレビジョン放送装置およびテレビジョン受信機の構成を示すブロック図である。
【図９】番組連携表示時に、一意性を確保したテレビジョン画面を最前面に表示するか否かを制御するための表示制御信号に基づいてテレビジョン画面を前面に表示するか否かを制御する場合の具体的な構成を示すブロック図である。
【図１０】表示制御信号に基づいてテレビジョン画面を前面に表示するか否かを制御する構成におけるコマーシャル時の表示の一例を示す図である。
【図１１】表示制御信号に基づいてテレビジョン画面を前面に表示するか否かを制御する構成における天気予報時の表示の一例を示す図である。
【図１２】表示のスタイルとレイヤーの説明に係るスタックレベルの指定例を示す図である。
【図１３】従来のテレビジョン放送装置およびテレビジョン受信機の構成を示すブロック図である。
【図１４】従来例におけるテレビジョン放送受信時のマイコンの動作を示すフローチャートである。
【符号の説明】
【０１４８】
１        テレビジョン放送装置
１１１        ブラウザ表示指示
１１２        ＵＲＬ
１１３        合成可否情報
１１４        表示制御信号
１０１        テレビジョン信号
１１０        多重化部
１２０        送信部
２        テレビジョン受信機
２００        テレビジョン画面生成部
２１０        アンテナ
２２０        チューナ
２３０        トランスポートストリームデコーダ
２４０        オーディオビデオデコーダ
３００        画面合成部
３０１        コンテンツ
３１０        合成回路
３２０        スケーリング部
３３０        ワークメモリ
３４０        固定スケーリング部
４００        モニタ
５００        マイコン
６００        ワークメモリ
７１０        ブラウザ表示指示取得部
７２０        ＵＲＬ取得部
７３０        合成可否情報取得部
７４０        印刷データ生成部
７５０        表示制御信号
８００        リモコン
９００        モデム
３        サーバ
４        ネットワーク
【図１】
2005124163.tif 000003
【図２】
2005124163.tif 000004
【図３】
2005124163.tif 000005
【図４】
2005124163.tif 000006
【図５】
2005124163.tif 000007
【図６】
2005124163.tif 000008
【図７】
2005124163.tif 000009
【図８】
2005124163.tif 000010
【図９】
2005124163.tif 000011
【図１０】
2005124163.tif 000012
【図１１】
2005124163.tif 000013
【図１２】
2005124163.tif 000014
【図１３】
2005124163.tif 000015
【図１４】
2005124163.tif 000016